(57)【要約】本開示の局面に従って、サービングセル上にキャンプしているワイヤレスセルラー電気通信デバイスにおける方法が提供され得、デバイスは、第１のセルのシステム情報を復号することによって得られたパラメータを記憶する。方法は、候補セルから受信された信号の属性を測定することと、記憶されたパラメータに関わらず、優先順位ベースの再選択アルゴリズムに従って、測定された属性に基づいて再選択のために候補セルを評価することとを含む。パラメータは、最小限必要な受信信号コード電力を示す。デバイスおよびコンピュータ可読媒体も提供される。
2013544477.tif 000002
【特許請求の範囲】
【請求項１】
サービングセル上にキャンプしているワイヤレスセルラー電気通信デバイスにおける方法であって、該デバイスは、第１のセルのシステム情報を復号することによって得られたパラメータを記憶し、
該方法は、
候補セルから受信された信号の属性を測定することと、
該記憶されたパラメータに関わらず、優先順位ベースの再選択アルゴリズムに従って、該測定された属性に基づいて再選択のために該候補セルを評価することと
を含み、
該パラメータは、最小限必要な受信信号コード電力を示す、方法。
【請求項２】
前記評価に基づいて、前記サービングセルから前記候補セルへの再選択を行うことをさらに含む、請求項１に記載の方法。
【請求項３】
前記候補セルの前記評価は、
該候補セルのシステム情報を取得することであって、該システム情報は、パラメータを含む、ことと、
前記測定された属性が所定量だけ該候補セルパラメータを超えるか否かを決定することと、
該測定された属性が該所定量だけ該候補セルパラメータを超える場合、該候補セルに対して再選択を行うことと
を含む、請求項１または２に記載の方法。
【請求項４】
前記の所定量は、０ｄＢである、請求項３に記載の方法。
【請求項５】
再選択のための前記候補セルの前記評価は、
前記測定された属性が所定のデフォルト値を超えるか否かを決定することと、
該測定された属性が該所定のデフォルト値を超えられない場合、該候補セルが再選択要件を満たさないことを決定することと
を含む、請求項１〜４のうちのいずれかに記載の方法。
【請求項６】
前記測定された属性は、受信信号コード電力（ＲＳＣＰ）である、請求項１〜５のうちのいずれかに記載の方法。
【請求項７】
前記候補セルは、ＵＴＲＡＮセルである、請求項１〜６のうちのいずれかに記載の方法。
【請求項８】
前記サービングセルは、ＧＥＲＡＮセルである、請求項１〜７のうちのいずれかに記載の方法。
【請求項９】
第２のセルから受信された信号の属性を測定することと、
ランキングアルゴリズムに従って、該測定された属性および前記記憶されたパラメータに基づいて再選択のために該第２のセルを評価することと
をさらに含む、請求項１〜８のうちのいずれかに記載の方法。
【請求項１０】
前記サービングセルと候補セルとは、同じワイヤレス無線ネットワークのものである、請求項１〜９のうちのいずれかに記載の方法。
【請求項１１】
前記サービングセルと候補セルとは、異なるワイヤレス無線ネットワークのものである、請求項１〜９のうちのいずれかに記載の方法。
【請求項１２】
ワイヤレスセルラー電気通信デバイスであって、
該デバイスは、
サービングセル上にキャンプすることと、
第１のセルのシステム情報を復号することによって得られたパラメータを記憶することと、
請求項１〜１１のうちのいずれかに記載の方法を行うことと
を行うように適合されている、デバイス。
【請求項１３】
命令がその上に記憶されているコンピュータ可読記憶媒体であって、該命令は、請求項１〜１１のうちのいずれかに記載の動作を実行するために、デバイスによって実行されることができる、媒体。
【発明の詳細な説明】
【技術分野】
【０００１】
（技術分野）
本開示は、セルラー電気通信システムに関し、より具体的には、セルラー電気通信システムのセル上にキャンプしているモバイルデバイスにおけるセル再選択の方法に関する。
【背景技術】
【０００２】
（発明の背景）
一般的なセルラー無線システムでは、ワイヤレス電気通信デバイスが、１つ以上の無線アクセスネットワーク（ＲＡＮ）を介して、１つ以上のコアネットワークに通信する。ＵＭＴＳシステムでは、そのようなデバイスは、一般的にはユーザ機器（ＵＥ）と呼ばれ、ＧＳＭ（登録商標）システムでは、そのようなデバイスは、一般的には移動局（ＭＳ）と呼ばれる。これらの用語は、同等なものと見なすことができる。本明細書の説明では、両方の用語が交換可能に使用されてもよいが、本開示は、主に、ＧＳＭ（登録商標）  ＥＤＧＥ無線アクセスネットワーク（ＧＥＲＡＮ）からＵＭＴＳ地上波無線アクセスネットワーク（ＵＴＲＡＮ）または進化型ＵＭＴＳ地上波無線アクセスネットワーク（ｅ−ＵＴＲＡＮ）へのセル再選択に関するので、ＭＳという用語が主に使用されることに留意されたい。しかしながら、本開示は、このタイプのセル再選択に限定されないことが明確であろう。
【０００３】
移動局（ＭＳ）は、とりわけ、携帯電話（セルラーまたはセル方式電話としても知られている）、ワイヤレス通信能力があるラップトップ、タブレットコンピュータ、携帯情報端末（ＰＤＡ）等の種々のタイプの機器を含む。これらは、携帯用、手持ち式、ポケットサイズであってもよく、または例えば、自動車に設置されてもよく、無線アクセスネットワーク（ＲＡＮ）を用いて音声またはデータ信号あるいは両方を伝達してもよい。当然ながら、ＭＳは、移動性ではなくてもよく、ある場所に固定されてもよい。この状況では、移動という用語は、単純にデバイスの通信能力を指してもよい。
【０００４】
以下では、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ；ＧＳＭ（登録商標））、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ；ＵＭＴＳ）、ロングタームエボリューション（Ｌｏｎｇ  Ｔｅｒｍ  Ｅｖｏｌｕｔｉｏｎ；ＬＴＥ）、および特定の規格が参照される。しかしながら、本開示は、いずれの特定の移動電気通信システムまたは規格に限定されることも目的とされないことを理解されたい。
【０００５】
ＲＡＮは、特定のセル地域に分割された地理的地域の範囲にわたる。各セル地域は、ＵＭＴＳではノードＢまたはＬＴＥでの進化型ノードＢと呼ばれ得る少なくとも１つの基地局によってサービス提供される。各セルは、セルでブロードキャストされる、一意的な識別子によって識別されてもよい。基地局は、セル上にキャンプしているＵＥとの無線インターフェース上で無線周波数において通信する（これらは、基地局の範囲内にあるＵＥのうちのいくつかまたは全てであってもよい）。いくつかの基地局が、基地局の種々の活動を制御する、無線ネットワークコントローラ（ＲＮＣ）に接続されてもよい。ＲＮＣは、一般的には、コアネットワークに接続される。各セルは、とりわけ、ＵＭＴＳ地上波無線アクセス（ＵＴＲＡ）等の特定の無線アクセス技術（ＲＡＴ）を実装する。ＧＥＲＡＮ（グローバルシステムフォーモバイルコミュニケーションズ（ＧＳＭ（登録商標））／ＧＳＭ（登録商標）進化型高速データレート（ＥＤＧＥ）無線アクセスネットワーク）では、無線アクセスネットワークは、任意の特定のセルについて基地局サブシステム（ＢＳＳ）の機能性をともに実装する、１つ以上の基地局（ＢＴＳ）および１つ以上の基地局コントローラ（ＢＳＣ）を含んでもよい。
【０００６】
セル検索と呼ばれることもある、ＵＥに対するセル選択は、参照することにより本明細書に組み込まれ、本明細書では２５．３０４仕様と呼ばれる、３ＧＰＰ  ＴＳ  ２５．３０４仕様、Ｖ８．１．０「アイドルモードでのユーザ機器（ＵＥ）プロシージャおよび接続モードでのセル再選択のためのプロシージャ」で説明されている。２５．３０４仕様の第５．２．３節、具体的には、第５．２．３．１．１節が、セル選択プロセスを説明する。セル選択プロセスにおける検討事項のうちの１つは、セルが「好適」であるか否かである。好適性の基準は、信号強度および／信号品質（ＵＥによって受信されるような、候補セル基地局によって伝送される信号を指す）に関係する基準を含んでもよい。好適性評価で使用される基準のうちのいくつかは、候補セルの周波数に同調した後にデバイスによって復号されなければならないパラメータに基づく。
【０００７】
アイドル状態にあるときに、ＭＳは、検出または候補セルがサービングセルよりもむしろ接続に良好に適するか否かを識別するために、それが現在接続されているか、またはキャンプしている（ｃａｍｐｅｄ）セル（しばしばサービングセルとして知られている）以外の検出された電気通信セルの性質を評価する。アイドルモードである間にサービングセルを自律的に変更するＭＳのプロセスは、セル再選択として知られている（しかし再選択はアイドルモードまたは純粋に自律的なセル変更あるいは両方に制限されなくてもよい）。電源投入または無線受信可能範囲の損失後にＭＳが最初にセル上にキャンプするプロセスは、セル選択として知られている。セル再選択の基準は、受信信号強度および信号品質等のものを含んでもよい。これらの基準と関連付けられるパラメータは、サービングセルにおいてブロードキャストされ、または別様に伝送されてもよい。セル再選択（および選択）のための要件のうちの１つは、候補セルが好適であることであってもよい。好適性の基準は、信号強度および／または信号品質（ＭＳによって受信されるような、候補セル基地局によって伝送される信号を指す）に関係する基準を含んでもよい。好適性評価において使用される基準のうちのいくつかは、候補セルの周波数に同調した後にＭＳによって復号されなければならないパラメータに基づく。候補セルからのパラメータの復号は、ＭＳのための有意なバッテリ電力を必要とし得る。このようにして好適性パラメータを復号することに基づく定期的な評価は、バッテリ寿命が限定されているモバイルデバイスでは特に望ましくない。
【０００８】
この問題に対する既存の解決法は、ごく最近に復号された好適性基準パラメータを記憶して再利用することである。この解決策は、参照することにより本明細書に組み込まれ、本明細書で「４５．００８仕様」と呼ばれる、３ＧＰＰ  ＴＳ  ４５．００８仕様Ｖ９．４．０で概説される。４５．００８仕様の第６．６．５節、第６．６．６節、および第６．６．７節は、それぞれ、「ＧＳＭ（登録商標）からＵＴＲＡＮへのセル再選択のためのアルゴリズム」、「優先順位情報に基づくＲＡＴ間セル再選択のためのアルゴリズム」、および「ＣＳＧセルおよびハイブリッドセルへのセル選択および再選択」と題された、セル再選択プロセスを説明する。第６．６．５節で定義されるアルゴリズムは、「ランキングアルゴリズム」として表されてもよく、第６．６．６節で定義されるアルゴリズムは、「優先順位ベースのアルゴリズム」として表されてもよい。これらの用語は、本明細書の説明の全体を通して使用されてもよい。
【０００９】
既存の解決法によれば、候補セルの好適性を評価するときに、そこから好適性パラメータがごく最近復号されたセルの好適性パラメータが使用されてもよい。この解決法は、ＭＳのバッテリ使用量または長期所要電力を削減し得るが、固有の限界を持つ。具体的には、例えば、ＭＳが候補セルの好適性を軽視しやすく、したがって、再選択するべきときにセルに再選択しない。これは、例えば、候補セルの好適性パラメータが適用されているものと同じではないので、その好適性を評価するために使用されるパラメータが不正確であるためとなり得る。代替として、ＭＳは、セルを再選択のための有効セルと誤って見なし、続いて、無駄に候補セルの周波数に同調し、そのセルからパラメータを復号する場合がある。これは、広範囲の閾値パラメータが、ＭＳが潜在的に再選択し得るセルに適用可能である場合に、特に問題となり得る。これらの閾値パラメータのうちの１つは、記憶されたときに、異なる値が適用可能であるネットワーク内で別のセルを誤って評価するように使用される場合がある。
【００１０】
あるシナリオ例では、オペレータは、アイドルモードにあるデバイスが、１つの周波数のセル上にキャンプし、接続モードにあるデバイス、すなわち、アクティブな進行中データまたは音声通話を有するデバイスが、異なる周波数のセル内で動作することを希望し得る。オペレータは、好適性基準を用いて、特定の周波数へのアイドルモード再選択を阻止することによって、これを達成しようとし得る、すなわち、好適性基準は、ＭＳがこれらの基準を満たす可能性が非常に低くなるように設定される。このシナリオでは、ＭＳは、より満たしやすい基準に基づくプロセスにおいてかなりの量の電力を使用して、好適性に対してそのようなセルを評価し得る。加えて、ＭＳが、他のセルの好適性評価で再利用するために、これらの不正確なパラメータを記憶している場合、ＭＳは、それがキャンプするべきセル上にキャンプしない場合がある。
【発明の概要】
【課題を解決するための手段】
【００１１】
再選択基準を満たす候補セルが、再選択試験の好適性側面において不合格にならないことが望ましい。本開示は、再選択のために候補セルをどのようにして効率的かつ効果的に評価するかという問題に対処する。本開示は、候補セルを誤って軽視するリスクを回避しながら、候補セルの周波数に同調し、候補セルから好適性パラメータを復号する必要性を最小化する。
【００１２】
本発明の一側面によれば、サービングセル上にキャンプしているワイヤレスセルラー電気通信デバイスにおける方法が提供され、デバイスは、第１のセルから得られたパラメータを記憶し、この方法は、
候補セルから受信された−−信号の属性を測定するステップと、
再選択のために候補セルを評価するステップと
を含み、
候補セルの搬送波周波数が第１のセルの搬送波周波数に合致する場合、再選択のための候補セルの評価は、少なくとも測定された属性および記憶されたパラメータに基づき、それ以外の場合、
再選択のための候補セルの評価は、記憶されたパラメータを使用せずに行われる。
【００１３】
本開示の側面によれば、サービングセル上にキャンプしているワイヤレスセルラー電気通信デバイスにおける方法が提供されてもよく、デバイスは、第１のセルから得られたパラメータを記憶し、この方法は、
候補ＵＴＲＡＮセルから受信された信号の属性を測定するステップと、
再選択のために候補セルを評価するステップと、
候補セルの搬送波周波数が第１のセルの搬送波周波数に合致する場合、再選択のための候補セルの評価は、少なくとも測定された属性および記憶されたパラメータに基づき、それ以外の場合、
再選択のための候補セルの評価は、記憶されたパラメータを使用せずに行われる。
【００１４】
本開示の側面によれば、サービングセル上にキャンプしているワイヤレスセルラー電気通信デバイスにおける方法が提供されてもよく、デバイスは、第１のセルから得られたパラメータを記憶し、この方法は、
候補セルから受信された信号の属性を測定するステップと、
ランキングアルゴリズムに従って、再選択のために候補セルを評価するステップと
を含み、
候補セルの搬送波周波数が第１のセルの搬送波周波数に合致する場合、再選択のための候補セルの評価は、少なくとも測定された属性および記憶されたパラメータに基づき、それ以外の場合、
再選択のための候補セルの評価は、記憶されたパラメータを使用せずに行われる。候補セルは、ＵＴＲＡＮセルであってもよい。
【００１５】
ある実施形態では、この方法は、サービングセルから候補セルへの再選択を評価に基づいて行うステップをさらに含んでもよい。
【００１６】
加えて、候補セルの周波数が第１のセルの周波数に合致する場合、評価はまた、候補セルが再選択要件を満たすか否かを決定するステップを含んでもよく、測定された属性が、第１の所定量だけ記憶されたパラメータを超えることがない場合、評価は、候補セルが再選択要件を満たさないことを決定するステップを含む。第１の所定量は、＋１０ｄＢであってもよい。
【００１７】
さらに、候補セルの搬送波周波数が第１のセルの搬送波周波数に合致しない場合、再選択のための候補セルの評価は、測定された属性が所定のデフォルト値を超えるか否かを決定するステップと、測定された属性が所定のデフォルト値を超えることに失敗した場合に、候補セルが再選択要件を満たさないことを決定するステップとを含んでもよい。
【００１８】
加えて、第１のセルは、サービングセルと異なってもよく、デバイスは、前もって第１のセル上にキャンプしている。代替として、第１のセルと候補セルとは、同じワイヤレス無線アクセス技術のものであってもよい。
【００１９】
ある実施形態では、候補セルの評価は、候補セルのシステム情報であって、パラメータを含むシステム情報を取得するステップと、測定された属性が第２の所定量だけ候補セルパラメータを超えるか否かを決定するステップと、測定された属性が第２の所定量だけ候補セルパラメータを超える場合に、候補セルへの再選択を行うステップとを含んでもよい。第２の所定量は、０ｄＢであってもよい。
【００２０】
さらに、記憶されたパラメータは、最小限必要な受信レベルを示してもよい。測定された属性は、受信信号コード電力（ＲＳＣＰ）であってもよい。加えて、サービングセルは、ＧＥＲＡＮセルであってもよい。
【００２１】
ある実施形態では、方法はさらに、第２のセルのパラメータを取得するステップと、第２のセルの搬送波周波数が第１のセルの搬送波周波数に合致しない場合、第２のセルパラメータを記憶するステップと、それ以外の場合であって、第２のセルの搬送波周波数が第１のセルの搬送波周波数に合致する場合、再選択のために候補セルを評価するときに、候補セルの搬送波周波数が第２のセルの搬送波周波数に合致するならば、再選択のための候補セルの評価が、少なくとも測定された属性および記憶された第２のセルパラメータに基づくように、記憶されたパラメータを第２のセルパラメータと置換するステップとを含んでもよい。候補セルが、第１のセルの識別子と同等の識別子を有する場合、再選択のための候補セルの評価は、少なくとも測定された属性および記憶された第２のセルパラメータに基づいてもよく、それ以外の場合、再選択のための候補セルの評価は、記憶されたパラメータを使用せずに行われてもよい。識別子は、一次スクランブリングコードであってもよい。
【００２２】
加えて、方法はさらに、候補セルが閉鎖加入者グループセルであるか否かを決定するステップを含んでもよく、候補セルおよび第１のセルが閉鎖加入者グループセルである場合に、再選択のための候補セルの評価は、少なくとも測定された属性および記憶された第２のパラメータに基づき、それ以外の場合、再選択のための候補セルの評価は、記憶されたパラメータを使用せずに行われる。
【００２３】
サービングと候補セルとは、同じワイヤレス無線ネットワークのものであってもよい。代替として、サービングと候補セルとは、異なるワイヤレス無線ネットワークのものであってもよい。
【００２４】
本開示の側面によれば、サービングセル上にキャンプし、第１のセルから得られたパラメータを記憶し、候補ＵＴＲＡＮセルから受信された信号の属性を測定し、再選択のために候補セルを評価するように適合されるワイヤレスセルラー電気通信デバイスが提供されてもよく、候補セルの搬送波周波数が第１のセルの搬送波周波数に合致する場合、再選択のための候補セルの評価は、少なくとも測定された属性および記憶されたパラメータに基づき、それ以外の場合、再選択のための候補セルの評価は、記憶されたパラメータを使用せずに行われる。
【００２５】
本開示の側面によれば、サービングセル上にキャンプし、第１のセルから得られたパラメータを記憶し、候補セルから受信された信号の属性を測定し、ランキングアルゴリズムに従って再選択のために候補セルを評価するように適合されるワイヤレスセルラー電気通信デバイスが提供されてもよく、候補セルの搬送波周波数が第１のセルの搬送波周波数に合致する場合、再選択のための候補セルの評価は、少なくとも測定された属性および記憶されたパラメータに基づき、それ以外の場合、再選択のための候補セルの評価は、記憶されたパラメータを使用せずに行われる。
【００２６】
本開示の側面によれば、サービングセル上にキャンプし、第１のセルから得られたパラメータを記憶し、候補ＵＴＲＡＮセルから受信された信号の属性を測定し、再選択のために候補セルを評価するように、デバイスによって実行することができる命令をその上に記憶しているコンピュータ可読記憶媒体が提供されてもよく、候補セルの搬送波周波数が第１のセルの搬送波周波数に合致する場合、再選択のための候補セルの評価は、少なくとも測定された属性および記憶されたパラメータに基づき行われ、それ以外の場合、再選択のための候補セルの評価は、記憶されたパラメータを使用せずに行われる。
【００２７】
本開示の側面によれば、サービングセル上にキャンプし、第１のセルから得られたパラメータを記憶し、候補セルから受信された信号の属性を測定し、ランキングアルゴリズムに従って再選択のために候補セルを評価するように、デバイスによって実行することができる命令をその上に記憶しているコンピュータ可読記憶媒体が提供されてもよく、候補セルの搬送波周波数が第１のセルの搬送波周波数に合致する場合、再選択のための候補セルの評価は、少なくとも測定された属性および記憶されたパラメータに基づき、それ以外の場合、再選択のための候補セルの評価は、記憶されたパラメータを使用せずに行われる。
【００２８】
本開示の側面によれば、サービングセル上にキャンプしているワイヤレスセルラー電気通信デバイスにおける方法が提供されてもよく、デバイスは、第１のセルから得られたパラメータを記憶し、この方法は、
候補セルから受信された信号の属性を測定するステップと、
再選択のために候補セルを評価するステップと
を含み、
候補セルが、第１のセルの識別子と同等の識別子を有する場合、再選択のための候補セルの評価は、少なくとも測定された属性および記憶されたパラメータに基づき、それ以外の場合、再選択のための候補セルの評価は、記憶されたパラメータを使用せずに行われる。
【００２９】
ある実施形態では、候補セルが第１のセルの識別子と同等の識別子を有する場合、評価は、候補セルが再選択要件を満たすか否かを決定するステップを含み、測定された属性が第１の所定量だけ記憶されたパラメータを超えることがない場合、評価は、候補セルが再選択要件を満たさないことを決定するステップを含む。第１の所定量は、０ｄＢであってもよい。代替として、第１の所定量は、＋１０ｄＢであってもよい。
【００３０】
本開示の側面によれば、サービングセル上にキャンプしているワイヤレスセルラー電気通信デバイスにおける方法が提供されてもよく、デバイスは、第１のセルから得られたパラメータを記憶し、この方法は、
候補セルから受信された信号の属性を測定するステップと、
候補セルが閉鎖加入者グループセルであるか否かを決定するステップと、
再選択のために候補セルを評価するステップと
を含み、
候補セルが閉鎖加入者グループセルであると決定された場合、再選択のための候補セルの評価は、第１の記憶されたパラメータに関わらず、少なくとも測定された属性に基づき、第１の記憶されたパラメータは、測定された属性の最小値を示す。
【００３１】
ある実施形態では、デバイスは、閉鎖加入者グループセルから得られた第２の記憶されたパラメータを有し、第１のセルが閉鎖加入者グループセルではなく、候補セルが閉鎖加入者グループセルであると決定された場合、再選択のための候補セルの評価は、少なくとも測定された属性および第２の記憶されたパラメータに基づいている。
【００３２】
加えて、評価が少なくとも測定された属性および第２の記憶されたパラメータに基づく場合、評価は、セルが再選択要件を満たすか否かを決定するステップを含んでもよく、測定された属性が、第１の所定量だけ第２の記憶されたパラメータを超えることがない場合、候補セルが再選択要件を満たさないことを決定するステップを含む。第１の所定量は、０ｄＢであってもよい。代替として、第１の所定量は、＋１０ｄＢであってもよい。
【００３３】
さらに、候補セルが、第２のセルの識別子と同等の識別子を有し、候補セルが閉鎖加入者グループセルであることが決定された場合、再選択のための候補セルの評価は、少なくとも第２の記憶されたパラメータに基づいてもよく、それ以外の場合、再選択のための候補セルの評価は、第２の記憶されたパラメータを使用せずに行われる。
【００３４】
識別子は、局所的に一意的な識別子であってもよい。識別子は、物理層識別子であってもよい。識別子は、一次スクランブリングコードであってもよい。
【００３５】
ある実施形態では、候補セルが、第２のセルの搬送波周波数に合致する搬送波周波数を有し、候補セルが、第２のセルの一次スクランブリングコードに合致する一次スクランブリングコードを有し、候補セルが閉鎖加入者グループセルであることが決定された場合、再選択のための候補セルの評価は、少なくとも測定された属性および第２の記憶されたパラメータに基づき、それ以外の場合、再選択のための候補セルの評価は、第２の記憶されたパラメータを使用せずに行われる。
【００３６】
加えて、評価が記憶されたパラメータを使用せずに行われる場合、候補セルの評価は、測定された属性が所定のデフォルト値を超えるか否かを決定するステップと、測定された属性が所定のデフォルト値を超えられない場合に、候補セルが再選択要件を満たさないことを決定するステップとを含んでもよい。
【００３７】
候補セルは、ＵＴＲＡＮセルであってもよい。候補セルは、Ｅ−ＵＴＲＡＮセルであってもよい。第１のセルの識別子はまた、物理層セル識別子であってもよい。サービングセルは、ＧＥＲＡＮセルであってもよい。
【００３８】
ある実施形態では、この方法は、評価に基づいて、サービングセルから候補セルへの再選択を行うステップをさらに含んでもよい。候補セルの評価はまた、候補セルのシステム情報であって、パラメータを含むシステム情報を取得するステップと、測定された属性が第２の所定量だけ候補セルパラメータを超えるか否かを決定するステップと、測定された属性が第２の所定量だけ前記候補セルパラメータを超える場合に、候補セルへの再選択を行うステップとを含んでもよい。第２の所定量は、０ｄＢであってもよい。
【００３９】
さらに、記憶されたパラメータは、最小限必要な受信レベルを示してもよい。測定された属性は、受信信号コード電力（ＲＳＣＰ）であってもよい。
【００４０】
また、サービングと候補セルとは、同じワイヤレス無線通信ネットワークのものであってもよい。代替として、サービングと候補セルとは、異なるワイヤレス無線通信ネットワークのものであってもよい。
【００４１】
本開示の側面によれば、サービングセル上にキャンプし、第１のセルから得られたパラメータを記憶し、候補セルから受信された信号の属性を測定し、再選択のために候補セルを評価するように適合される無線セルラー電気通信デバイスが提供されてもよく、候補セルが第１のセルの識別子と同等の識別子を有する場合、再選択のための候補セルの評価は、少なくとも測定された属性および記憶されたパラメータに基づき、それ以外の場合、再選択のための候補セルの評価は、記憶されたパラメータを使用せずに行われる。
【００４２】
本開示の側面によれば、サービングセル上にキャンプし、第１のセルのシステム情報から得られたパラメータを記憶し、候補セルから受信された信号の属性を測定し、候補セルが閉鎖加入者グループセルであるか否かを決定し、再選択のために候補セルを評価するように適合される無線セルラー電気通信デバイスが提供されてもよく、候補セルが閉鎖加入者グループセルであると決定された場合、再選択のための候補セルの評価は、第１の記憶されたパラメータにかかわらず、少なくとも測定された属性に基づき、パラメータは、測定された属性の最小値を示す。
【００４３】
本開示の側面によれば、サービングセル上にキャンプし、第１のセルから得られたパラメータを記憶し、候補セルから受信された信号の属性を測定し、再選択のために候補セルを評価するように、デバイスによって実行することができる命令をその上に記憶しているコンピュータ可読記憶媒体が提供されてもよく、候補セルが第１のセルの識別子と同等の識別子を有する場合、再選択のための候補セルの評価は、少なくとも測定された属性および記憶されたパラメータに基づき、それ以外の場合、再選択のための候補セルの評価は、記憶されたパラメータを使用せずに行われる。
【００４４】
本開示の側面によれば、サービングセル上にキャンプし、第１のセルから得られたパラメータを記憶し、候補セルから受信された信号の属性を測定し、候補セルが閉鎖加入者グループセルであるか否かを決定し、再選択のために候補セルを評価するように、デバイスによって実行することができる命令をその上に記憶しているコンピュータ可読記憶媒体が提供されてもよく、候補セルが閉鎖加入者グループセルであると決定された場合、再選択のための候補セルの評価は、第１の記憶されたパラメータにかかわらず、少なくとも測定された属性に基づき、パラメータは、測定された属性の最小値を示す。
【００４５】
本開示の側面によれば、サービングセル上にキャンプしている無線セルラー電気通信デバイスにおける方法が提供されてもよく、デバイスは、第１のセルのシステム情報を復号することによって得られたパラメータを記憶し、この方法は、
候補セルから受信された信号の属性を測定するステップと、
記憶されたパラメータにかかわらず、優先順位ベースの再選択アルゴリズムに従って、測定された属性に基づいて再選択のために候補セルを評価するステップであって、パラメータは、最小限必要な受信信号コード電力を示す、ステップと
を含む。
【００４６】
ある実施形態では、この方法は、評価に基づいて、サービングセルから候補セルへの再選択を行うステップをさらに含んでもよい。候補セルの評価はまた、候補セルのシステム情報であって、パラメータを含むシステム情報を取得するステップと、測定された属性が所定量だけ候補セルパラメータを超えるか否かを決定するステップと、測定された属性が所定量だけ候補セルパラメータを超える場合に、候補セルへの再選択を行うステップとを含んでもよい。所定量は、０ｄＢであってもよい。
【００４７】
加えて、再選択のための候補セルの評価は、測定された属性が所定のデフォルト値を超えるか否かを決定するステップと、測定された属性が所定のデフォルト値を超えられない場合に、候補セルが再選択要件を満たさないことを決定するステップとを含んでもよい。
【００４８】
ある実施形態では、測定された属性は、受信信号コード電力（ＲＳＣＰ）であってもよい。候補セルは、ＵＴＲＡＮセルであってもよい。サービングセルは、ＧＥＲＡＮセルであってもよい。
【００４９】
さらに、方法はまた、第２のセルから受信された信号の属性を測定するステップと、ランキングアルゴリズムに従って、測定された属性および記憶されたパラメータに基づいて再選択のために第２のセルを評価するステップとを含んでもよい。
【００５０】
加えて、サービングおよび候補セルは、同じ無線通信ネットワークのものであってもよい。代替として、サービングおよび候補セルは、異なる無線通信ネットワークのものであってもよい。
【００５１】
本開示の側面によれば、サービングセル上にキャンプし、第１のセルのシステム情報を復号することによって得られたパラメータを記憶し、候補セルから受信された信号の属性を測定し、記憶されたパラメータにかかわらず、優先順位ベースの再選択アルゴリズムに従って、測定された属性に基づいて再選択のために候補セルを評価するように適合される無線セルラー電気通信デバイスが提供されてもよく、パラメータは、最小限必要な受信信号コード電力を示す。
【００５２】
本開示の側面によれば、サービングセル上にキャンプし、第１のセルのシステム情報を復号することによって得られたパラメータを記憶し、候補セルから受信された信号の属性を測定し、記憶されたパラメータにかかわらず、優先順位ベースの再選択アルゴリズムに従って、測定された属性に基づいて再選択のために候補セルを評価するように、デバイスによって実行することができる命令をその上に記憶しているコンピュータ可読記憶媒体が提供されてもよく、パラメータは、最小限必要な受信信号コード電力を示す。
【００５３】
ここで、添付図面を参照して、本開示の実施例を詳細に説明する。
【図面の簡単な説明】
【００５４】
【図１Ａ】図１Ａは、ネットワークおよびＵＥデバイスの概観を示す略図である。
【図１Ｂ】図１Ｂは、本発明の第１の実施形態を実装するために好適な概略システムを示す。
【図２】図２は、セル再選択のための既知のランキングアルゴリズムのフロー図を示す。
【図３−１】図３は、セル再選択を行うときに好適性パラメータを記憶する既知の方法のフロー図を示す。
【図３−２】図３は、セル再選択を行うときに好適性パラメータを記憶する既知の方法のフロー図を示す。
【図４−１】図４は、記憶された好適性パラメータが周波数ごとの基準で適用される、本開示の実施例を図示するフロー図を示す。
【図４−２】図４は、記憶された好適性パラメータが周波数ごとの基準で適用される、本開示の実施例を図示するフロー図を示す。
【図５】図５は、記憶された好適性パラメータが周波数ごとの基準で適用される、本開示の実施例を図示する情報フロー図を示す。
【図６−１】図６は、記憶された好適性パラメータがセルごとの基準で適用される、本開示の実施例を図示するフロー図を示す。
【図６−２】図６は、記憶された好適性パラメータがセルごとの基準で適用される、本開示の実施例を図示するフロー図を示す。
【図７−１】図７は、閉鎖加入者グループ（ＣＳＧ）セルに関する本開示の実施例を図示するフロー図を示す。
【図７−２】図７は、閉鎖加入者グループ（ＣＳＧ）セルに関する本開示の実施例を図示するフロー図を示す。
【図８】図８は、好適性基準に関する本開示の実施例を図示するフロー図を示す。
【図９】図９は、優先順位ベースの再選択に関する本開示の実施例を図示するフロー図を示す。
【図１０】図１０は、記憶された好適性パラメータが周波数ごとの基準で適用される、本開示の実施例を図示するプロセスを示す。
【図１１】図１１は、記憶された好適性パラメータがセルごとの基準で適用される、本開示の実施例を図示するプロセスを示す。
【図１２】図１２は、閉鎖加入者グループ（ＣＳＧ）セルに関する本開示の実施例を図示するプロセスを示す。
【図１３】図１３は、閉鎖加入者グループ（ＣＳＧ）セルに関する本開示の実施例を図示するプロセスを示す。
【図１４】図１４は、閉鎖加入者グループ（ＣＳＧ）セルに関する本開示の実施例を図示するプロセスを示す。
【図１５】図１５は、優先順位ベースの再選択に関する本開示の実施例を図示するプロセスを示す。
【図１６−１】図１６は、ある無線関連評価が行われない、本開示の実施例を図示するフロー図を示す。
【図１６−２】図１６は、ある無線関連評価が行われない、本開示の実施例を図示するフロー図を示す。
【発明を実施するための形態】
【００５５】
異なる図において使用される同じ数字は、同様の要素を表す。
【００５６】
本願で立案される実施形態は、概して、電子デバイスにおけるセル再選択の方法に関する。実施形態は、評価が行われる度に候補セルの周波数に同調し、そのセルから好適性パラメータを復号する必要なく、再選択を行うときに候補セルを効率的に評価してもよい。
【００５７】
本教示の他の側面および特徴は、電気通信システムにおけるセル再選択のための方法および装置の具体的実施形態の以下の説明および添付の請求項を再検討すると、当業者に明白となるであろう。本明細書で開示される任意の方法は、無線通信ネットワークの移動局デバイスで実装されてもよい。
【００５８】
ＧＳＭ（登録商標）／ＥＤＧＥ（ＧＳＭ（登録商標）／ＥＤＧＥ無線アクセスネットワーク、ＧＥＲＡＮ）、ＵＭＴＳ（ＵＭＴＳ地上波無線アクセスネットワーク、ＵＴＲＡＮ）、またはＬＴＥ（進化型ＵＭＴＳ地上波無線アクセスネットワーク、ｅ−ＵＴＲＡＮ）タイプの無線アクセスネットワークは、一般的には、地理的地域の範囲にわたる複数のセルを含み、そのそれぞれは、異なる無線アクセス技術（ＲＡＴ）を実装してもよい。２ＧはＧＳＭ（登録商標）を指してもよく、３ＧはＵＭＴＳを指してもよく、これらの用語は交換可能に使用されてもよい。上記で説明されるように、サービングセルとして知られているセルにいったん接続された移動局（ＭＳ）は、候補セルとして知られている他の検出されたセルを評価して、それらがサービングセルよりも接続に好適となるか否かを決定してもよい。セル内で動作するときに、ＭＳは、セル上にキャンプしていると呼ばれる。本明細書での説明では、ＭＳは、「セル内にある」、「セル上にキャンプしている」、または「サービングセル」を使用すると呼ばれてもよい。これらの用語は、交換可能に使用されてもよく、そのセルによってダウンリンクデータのためにＭＳを呼び出せることを定義してもよい。本明細書の説明は、２Ｇおよび３Ｇを指してもよい。
【００５９】
本明細書の説明の全体を通して使用される、「ランキングアルゴリズム」および「優先順位ベースの再選択アルゴリズム」という用語によって、以下を意味する。
【００６０】
ランキングアルゴリズムでは、セルの無線測定（おそらくオフセットおよび／または倍率によって修正され、およびおそらく最小閾値の対象となる）が比較され、再選択は、概して、そのようにして最高ランク付けされたセルに行われる。ランキングアルゴリズムでは、異なる周波数上のセル、または異なる無線アクセス技術を使用するセルが、直接比較され、したがって、相互に対してランク付けされてもよい。無線測定（または例えば、受信セル信号品質または電力に基づく導出値）は、候補セルの比較の主要な基礎である。ランキングアルゴリズムの実施例が図２に示されている。
【００６１】
優先順位ベースの再選択アルゴリズムでは、セル（一般的には、それらの動作周波数および／または無線アクセスに従ってグループ化される）は、優先順位を割り当てられる。これらの優先順位は、該当する場合、どのセルにデバイスが再選択するべきかを決定するときに、セルが考慮される一次手段である（隣接セルの無線測定が二次検討事項である）。（優先順位レベルに加えて、サービングセルの測定等に基づいて、他の考慮が行われてもよいことに留意されたい。）現在の３ＧＰＰ優先順位ベースの再選択に従って、優先順位は、周波数ごとの基準で（すなわち、同じ無線アクセス技術および同じ搬送波周波数を使用して動作する全てのセルが同じ優先順位を割り当てられるように）、または（ＧＳＭ（登録商標）セルの場合）無線アクセス技術ごとに割り当てられる（異なる搬送波周波数で動作するＧＳＭ（登録商標）ベースの技術に従って動作するセルは、同じ優先順位を割り当てられてもよい）。具体的には、異なる優先順位のセルの無線測定は、相互に比較される必要がない（しかし、無線測定は、それぞれの優先順位にかかわらず、最小キャンピング／サービス基準を満たすか否かをチェックするため、または測定閾値に対してそれを評価するために、任意のセルで使用されてもよい）。例えば、１つの優先順位のセルは、より低い優先順位のセルのいずれの無線測定も考慮することなく、全ての適用可能な再選択基準を満たすと決定することができる。
【００６２】
図面を参照すると、図１Ａは、ＵＭＴＳネットワークおよびユーザ機器デバイスの概観を示す概略図である。実践において、明らかに、ネットワークとともに動作する多くのユーザ機器デバイスがあってもよいが、簡単にするために、図１Ａは、単一のユーザ機器デバイス１００のみを示す。
【００６３】
例示の目的で、図１Ａはまた、いくつかの構成要素を有するＵＭＴＳシステムで使用される無線アクセスネットワーク１１９（ＵＴＲＡＮ）も示す。実践において、ネットワークが、示されるものよりもはるかに多くの構成要素を含むことが当業者に明確となるであろう。
【００６４】
図１Ａに示されるようなネットワーク１１９は、３つの無線ネットワークサブシステム（ＲＮＳ）１０２を備える。各ＲＮＳは、無線ネットワークコントローラ（ＲＮＣ）１０４を有する。各ＲＮＳ１０２は、ＧＳＭ（登録商標）無線アクセスネットワークの伝送基地局と機能が同様である１つ以上のノードＢ１０２を有する。ユーザ機器ＵＥ１００は、無線アクセスネットワーク内で移動性であってもよい。無線接続（図１Ａの真っ直ぐな点線によって示される）は、ＵＴＲＡＮの中においてＵＥとノードＢのうちの１つ以上との間で確立される。
【００６５】
図１Ｂは、ネットワークシステムのさらなる概略図を示す。一般的には、各無線アクセスネットワーク（ＲＡＮ）は、無線通信デバイス、ＭＳ１６０、および残りの無線アクセスネットワークとの間に無線リンクを提供するように、無線アクセスデバイス１５６を含む。これらの無線アクセスデバイス１５６は、ＧＳＭ（登録商標）では基地局、およびＵＭＴＳではノードＢとして知られている。ｅ−ＵＴＲＡＮ内のＲＡＮは、ｅ−ノードＢのみを備える。ＧＳＭ（登録商標）およびＵＭＴＳでは、ＲＡＮはまた、無線ネットワークコントローラ（ＲＮＣ）または基地局コントローラ（ＢＳＣ）、１５２、１５４と、基地局とを備え、ＲＮＣおよびＢＳＣは、１つ以上のコアネットワーク（一般的には、パケット交換サービスに対して少なくとも１つ、および回路交換サービスに対して１つ）に接続される。たとえ物理的に同一場所に、または同じユニット内にあり得るとしても、ＲＮＣは、３Ｇ基地局（ノードＢ）に接続し、ＢＳＣは、２Ｇ基地局に接続する（その場合、組み合わされたＢＳＣおよび基地局が、基地局サブシステム（ＢＳＳ）の機能性を果たす）。コアネットワーク（図示せず）は、公衆陸上移動ネットワーク（ＰＬＭＮ）１５０と関連付けられ、単一のＲＡＮが、複数のＰＬＭＮのコアネットワーク（図示せず）に接続することが可能である。
【００６６】
各３Ｇセルは、周波数および一次スクランブリングコードによって（局所地域内において）一意的に識別されてもよい。概して、セルは、基地局、ノードＢ、ｅノードＢ、または同様のエンティティによって地理的地域上でブロードキャストされるセル識別子からＭＳ１６０によって一意的に識別されることができる無線ネットワークオブジェクトを指す。単一の物理ノードＢは、複数の周波数で、または複数のスクランブリングコードを用いて、あるいは両方で動作してもよいため、１つよりも多くのセルを生成してもよい。候補セルは、最終的に、サービングセルと同じＰＬＭＮに接続されてもよい。
【００６７】
図２は、ランキングアルゴリズムに従ったセル再選択プロシージャ中にＭＳによって行われる、既知のプロセスを図示するフロー図を示す。図２を参照すると、プロセスはステップ２０１から始まる。ステップ２０２では、セル測定、例えば、周波数内、周波数間、およびＲＡＴ間セル測定が、ＭＳによって生成または受信される。ステップ２０３では、ランク値が各セルに対して計算される。一実施例では、これらのセルは、サービングセルおよび隣接セルである。セルランキング基準Ｒの形態でランク値を計算するために使用可能な計算の一実施例は、参照することにより本明細書に組み込まれ、本明細書では２５．３０４仕様と呼ばれる３ＧＰＰ  ＴＳ  ２５．３０４仕様、Ｖ８．１．０の第５．２．６．１．４節「アイドルモードでのユーザ機器（ＵＥ）プロシージャおよび接続モードでのセル再選択のためのプロシージャ」で説明されている（その節でのＲ、サービングセルおよびＲ、隣接セルの計算を参照）。その実施例では、ランク値は、２５．３０４仕様の第５．２．６．１．４節で設定された条件を満たす場合に、セルに対して計算される。
【００６８】
ステップ２０４では、セルがランク値に基づいて順序付けられる。一実施例では、サービングセルよりも良いランク値を有するセルのみが考慮され、これらはリストにコンパイルされる。ステップ２０５では、結果として生じるセルランキングリストが作成される。ステップ２０６では、サービングセルが最良である（すなわち、最高ランク値を有する）ことをＭＳが見出した場合には、ＭＳはサービングセル上にキャンプしたままであり、プロセスはステップ２０２に戻る。
【００６９】
ステップ２０６では、サービングセルが最良ではない（すなわち、最高ランク値を持たない）ことをＭＳが見出した場合には、ステップ２０７で、ＭＳが最高ランク値を有する隣接セルに再選択しようとする。この目的を達成するために、２０８で、チャネル（一実施例では、一次共通制御物理チャネル（ＰＣＣＰＣＨ））が設定され、２０９で、システム情報（一実施例では、マスタ情報ブロック（ＭＩＢ）およびシステム情報ブロック（ＳＩＢ）の形態である）が隣接セルから読み出され、２１０で、セルが好適なセルであるというチェックが行われる。好適なセルは、ＭＳがキャンプしてもよいセルであり、実施例は、許容信号強度を有する、および／または禁止位置地域内にない、および／または禁じられていない、および／または自動検索について正しい公衆陸上移動ネットワーク（ＰＬＭＮ）に属するセルを含む。セルが好適である場合、ＭＳは２１１で隣接セル上にキャンプする。セルが好適なセルではない場合、プロセスは２０２に戻る。プロセスは２１２で終了する。
【００７０】
上述のように、図２で示されるプロセスは、セルからのシステム情報、したがって、選択のためのセルの好適性を決定するために、候補セルとの通信チャネルが確立されることを要求する。概して、候補セルとのチャネルを確立する説明されたプロセスは、単純に、ブロードキャストされるシステム情報の復号を可能にすることである。本開示との関連で、通信チャネルを確立することは、必ずしも、ネットワークによるいずれの特定の挙動も暗示せず、つまり、継続的にシステム情報をブロードキャストし得ることを考慮して、ネットワークはチャネルを積極的に「確立」しない。
【００７１】
この復号は、ＭＳにとって特に電力集約型であり、時間がかかる。サービングセルがＧＥＲＡＮセルである場合には、しばしば、ランキング計算の結果として、ランキングリストの中の隣接セルより下になる可能性が高い。その結果として、ＭＳは、好適性について隣接セルを繰り返しチェックし、したがって、システム情報を復号するように、これらのセル上で通信チャネルを確立し得る。
【００７２】
隣接セルから受信されるシステム情報は、そのセルが好適であるとＭＳが決定する可能性が低くなるように、好適性のパラメータを含有する場合があり得る。パラメータは、ＭＳが変化するとしても、ほとんど変化せず、そのセル上にキャンプし得るように、ネットワークオペレータによって設定されている場合がある。このシナリオでは、ＭＳは、プロセスにおいて大量かつ不必要な電力を使用して、セル上に通信チャネルを繰り返し確立する。
【００７３】
あるシナリオ例では、オペレータは、アイドルモードにあるデバイスが、１つの周波数のセル上にキャンプし、接続モードにある、すなわち、アクティブな進行中データまたは音声通話を有するデバイスが、異なる周波数のセル内で動作することを希望し得る。オペレータは、好適性基準を用いて、特定の周波数へのアイドルモード再選択を阻止することによって、これを達成し得る、すなわち、好適性基準は、ＭＳがこれらの基準を満たす可能性が非常に低くなるように設定される。上記のシナリオでは、ＭＳは、たとえセルが決して好適となり得なくても、プロセスにおいてかなりの量の電力を使用して、好適性のためにそのようなセルを一貫して評価する。
【００７４】
ＭＳの所要電力を削減するために、以前に復号された好適性パラメータを記憶してもよいことが以前に提案されている。好適性基準の記憶を必要とするための理由は、（そうでなければ、そのセルに適用可能な好適性基準を決定するために読み出される必要がある）候補セルのＳＩＢを最初に読み出す必要なく、これらの基準を使用して、ＭＳが候補セルを評価することを可能にすることである。多くの場合、セルは、（記憶されたパラメータに基づく）好適性基準を満たさず、このセルのさらなる評価は必要とされず、したがって、これらの基準を満たさないセルからＳＩＢが読み出される必要がないので、以前の試行からの基準を記憶することは、バッテリ消費を有意に削減することができる。
【００７５】
しかしながら、ネットワークが上記で説明されるように構成される場合、具体的には、記憶されたパラメータが、アイドルモード再選択が制限されることを目的としているセル、すなわち、達成不可能（またはほとんど達成可能ではない）パラメータを有するセルと関連付けられる（すなわち、セルから復号される）場合に、そのような記憶が問題を引き起こし得る。記憶された好適性基準が満たされる可能性が低いので、ＭＳは、再選択を試行しない（ＭＳは、標的セルのシステム情報を読み出すことなく、したがって、実際に、好適性基準がこのセルに対して満たされることを決定することができず、この段階で再選択を放棄してもよいことに留意されたい）。ある状況において、ＭＳは、ＵＭＴＳセルがより適切となる場合に意図されるよりも長くＧＳＭ（登録商標）セル上にキャンプしたままとなり得る。
【００７６】
好適性パラメータまたは閾値基準は、最小限必要な受信レベルを示してもよい。セルの信号品質、信号電力、または信号強度は、所定量、例えば、０ｄＢまたは＋１０ｄＢだけこれを超える必要があってもよい。好適性パラメータまたは閾値基準は、実践において、Ｑｒｘｌｅｖｍｉｎ値またはＰｃｏｍｐｅｎｓａｔｉｏｎ値あるいは両方であってもよい。当然ながら、他の好適性パラメータまたは閾値基準も考慮される。
【００７７】
記憶されたＱｒｘｌｅｖｍｉｎ値は、−１１５から−２４ｄＢｍまでの範囲を有してもよく、３Ｇセルのシステム情報内のその包含が強制的であるので、デフォルト値（値が明示的に信号伝達されない場合に使用される値）がない。Ｑｒｘｌｅｖｍｉｎは、そのセルに対する好適性パラメータであってもよい。
【００７８】
Ｐｃｏｍｐｅｎｓａｔｉｏｎは、４５．００８仕様の第６．６．５節でも現在参照されている、セル内でブロードキャストされる１つ以上のパラメータから（少なくとも部分的に）導出されるさらなる好適性パラメータである。その値は、０ｄＢとなる可能性が最も高い。
【００７９】
図３は、記憶されたパラメータを使用する、セル再選択の既知のプロセスを図示する。適用可能なアルゴリズムは、４５．００８仕様において概説されている。具体的には、「ＧＳＭ（登録商標）からＵＴＲＡＮへのセル再選択のためのアルゴリズム」と題された第６．６．５節である。
【００８０】
図示されたプロセスは、ＭＳがサービングセル上にキャンプしているステップ３０２から始まる。使用される構成およびアルゴリズムに応じて、隣接セルがサービングセルから受信され（ステップ３０４）、再選択パラメータがそのリストから復号される（ステップ３０６）。次いで、ＭＳは、候補セルを識別し、測定を行う（ステップ３０８）。これらは、とりわけ、信号強度および信号品質を含んでもよい。次に、ステップ３１０で、ＭＳは、候補セルが再選択基準を満たすか否かを決定する。この試験は、サービングセル内で受信されたパラメータから導出することができる基準に限定されてもよい。場合によっては、サービングセル内でブロードキャストされるパラメータ、およびそれが記憶された好適性パラメータを有するか否かに応じて、ＭＳは、記憶された好適性パラメータに基づいて候補セルを評価することを省略してもよい。候補セルが再選択基準を満たさない場合、セルが容認可能ではないので、プロセスが再開する（ステップ３１２）。
【００８１】
ステップ３１２から３１４までの間（図示せず）で、サービングセルが、再選択アルゴリズム内で「好適性試験」の代わりに使用される受信信号コード電力（ＲＳＣＰ）パラメータを伝送する場合には、候補セルは、それが記憶された好適性パラメータを有するか否かにかかわらず、これらに対して評価される。この試験が終了して合格した場合（図示せず）、プロセスはステップ３１８へ進む。
【００８２】
候補セルが容認可能である場合、ＭＳは、以前の試行からの記憶された好適性パラメータを有するか否かをチェックする（ステップ３１４）。もしそうであれば、候補セルは、これらの記憶されたパラメータに基づいて好適性基準を満たすか否かを決定するように評価される（ステップ３１６）。候補セルが好適性基準を満たさない場合、セルは容認不可能と見なされ、プロセスが再開される（ステップ３１２）。セルが記憶されたパラメータに基づいて好適性基準を満たす場合には、ＭＳは、セルとの通信チャネルを確立し、候補セルからシステム情報を取得する（ステップ３１８）。同様に、ＭＳが以前の試行からの記憶された好適性パラメータを持たない場合、ＭＳは、セルとの通信チャネルを確立し、候補セルからシステム情報を取得する（ステップ３１８）。
【００８３】
次いで、セルの好適性が、システム情報の中のパラメータを使用して評価される（ステップ３２０）。候補セルが好適性基準を満たす場合、ＭＳはセル上にキャンプする（ステップ３２４）。候補セルが好適性要件を満たさない場合、セルは容認可能ではないと見なされ（ステップ３１２）、ＭＳはサービングセル上にキャンプしたままである。
【００８４】
第６．６．５節「ＧＳＭ（登録商標）からＵＴＲＡＮへのセル再選択のためのアルゴリズム」は、上記で説明され、ランキングアルゴリズムに基づく再選択好適性を決定するためのアルゴリズムを概説する。ランキングアルゴリズムは、優先順位ベースの再選択が、例えば、ネットワーク構成またはデバイス能力によるものではない場合に使用される。「優先順位情報に基づくＲＡＴ間セル再選択のためのアルゴリズム」と題された、第６．６．６節は、優先順位ベースの再選択を概説する。一般的には、優先順位ベースの再選択が好ましい。例えば、ＬＴＥに対応できるデバイスは、優先順位ベースの再選択をサポートしなければならない。ランキングアルゴリズムでは、ＧＥＲＡＮからＵＴＲＡＮへの再選択のための基準は、ＣＰＩＣＨ  ＲＳＣＰベースの基準と呼ばれてもよい。ＣＰＩＣＨは共通パイロットチャネルを表し、ＲＳＣＰは受信信号コード電力を表す。参考までに、４５．００８仕様の第６．６．５節で定義されるアルゴリズムの抜粋は、以下の通りであり、ＦＤＤは周波数分割双方向を表し、ＭＳは移動局を表す。
【００８５】
「３Ｇセル再選択リストがＵＴＲＡＮ周波数を含む場合、ＭＳは、少なくとも５秒ごとに、サービングセルの値ＲＬＡ＿Ｃ、および少なくとも６つの最強非サービングＧＳＭ（登録商標）セルのそれぞれを更新するであろう。
【００８６】
次いで、ＭＳは、以下の場合に、好適な（ＴＳ  ２５．３０４参照）ＵＴＲＡＮセルを再選択するであろう：
−ＴＤＤセルについて、測定されたＲＳＣＰ値がＲＬＡ＿Ｃの値を超える
−サービングセルおよび好適な（３ＧＰＰ  ＴＳ  ０３．２２参照）非サービングＧＳＭ（登録商標）セルの全てについて、５秒の期間にわたって値ＸＸＸ＿Ｑｏｆｆｓｅｔだけ超える
−ＦＤＤセルについて、以下の基準が５秒の期間にわたって全て満たされる：
１．その測定されたＲＳＣＰ値が、サービングセルのＲＬＡ＿Ｃの値および好適な（３ＧＰＰ  ＴＳ  ０３．２２参照）非サービングＧＳＭ（登録商標）セルの全てを値ＸＸＸ＿Ｑｏｆｆｓｅｔだけ超える
２．その測定されたＥｃ／Ｎｏ値が値ＦＤＤ＿Ｑｍｉｎ以上である、および
３．ＭＳによってサポートされる場合、その測定されたＲＳＣＰ値がＦＤＤ＿ＲＳＣＰ＿ｔｈｒｅｓｈｏｌｄ以上である。
【００８７】
以前の１５秒以内にセル再選択が発生した場合、ＸＸＸ＿Ｑｏｆｆｓｅｔは、５ｄＢだけ増加させられ、このとき：
−ＦＤＤ＿ＲＳＣＰ＿ｔｈｒｅｓｈｏｌｄは、これらのパラメータが利用可能であれば、Ｑｒｘｌｅｖｍｉｎ＋Ｐｃｏｍｐｅｎｓａｔｉｏｎ＋１０ｄＢに等しい、そうでなければ−∞である（基準が有効ではない）
−ＱｒｘｌｅｖｍｉｎがＵＴＲＡＮ  ＦＤＤセル内の最小限必要なＲＸレベル（ｄＢｍ）である（３ＧＰＰ  ＴＳ  ２５．３０４参照）
−Ｐｃｏｍｐｅｎｓａｔｉｏｎがｍａｘ（ＵＥ＿ＴＸＰＷＲ＿ＭＡＸ＿ＲＡＣＨ−Ｐ＿ＭＡＸ，０）（ｄＢ）である（３ＧＰＰ  ＴＳ  ２５．３０４参照）
−ＵＥ＿ＴＸＰＷＲ＿ＭＡＸ＿ＲＡＣＨが、ＲＡＣＨ上のＵＴＲＡＮ  ＦＤＤセルにアクセスするときにＭＳが使用してもよい、最大ＴＸ電力レベル（ｄＢｍ）である（３ＧＰＰ  ＴＳ  ２５．３０４参照）
−Ｐ＿ＭＡＸがＵＴＲＡＮ  ＦＤＤモードでのＭＳの最大ＲＦ出力電力（ｄＢｍ）である（３ＧＰＰ  ＴＳ  ２５．３０４参照）
−ＦＤＤ＿ＱｍｉｎおよびＸＸＸ＿ＱｏｆｆｓｅｔがサービングセルのＢＣＣＨ上でブロードキャストされる。ＸＸＸは、他の無線アクセス技術／モードを示す。
【００８８】
注記：ＵＴＲＡＮセルが好適であるか否かを決定するために必要とされるパラメータは、ＵＴＲＡＮセルのＢＣＣＨ上でブロードキャストされる。ＭＳは、ＵＴＲＡＮセルのＢＣＣＨを復号する前に、ＵＴＲＡＮセルに向かう再選択を開始してもよく、ＵＴＲＡＮセルが好適ではない場合にサービスの短い中断につながる。
【００８９】
ＭＳは、同等のＰＬＭＮのＵＴＲＡＮ  ＦＤＤセルから復号されるときはいつでも、上記のＵＴＲＡＮセルＲＳＣＰ好適性基準パラメータを記憶してもよい。ごく最近復号されたパラメータは、全てのＵＴＲＡＮ  ＦＤＤセルに向かう有効再選択基準である。このパラメータのリストは、ＰＬＭＮ選択後に消去されてもよい（３ＧＰＰ  ＴＳ  ２３．１２２参照）」。
【００９０】
上記のアルゴリズムにおける好適の定義は、セル選択基準が満たされることを要求することに留意されたい。ＵＭＴＳセルに対するこれらの基準は、３ＧＰＰ  ＴＳ  ２５．３０４仕様、第５．２．３．１．２項に定義されている。再選択を定義するときに４５．００８仕様で参照される好適性パラメータは、ＱｒｘｌｅｖｍｉｎおよびＰｃｏｍｐｅｎｓａｔｉｏｎ（ＵＥ＿ＴＸＰＷＲ＿ＭＡＸ＿ＲＡＣＨに依存する）である。２５．３０４仕様は、４５．００８仕様で定義される再選択試験で使用されない、好適性に影響を及ぼす他のパラメータを定義する。
【００９１】
仕様の以降のリリースについては、上記の項目３の中の「ＭＳによってサポートされる場合」という語句が除去され、仕様の以降のリリースに従う移動局にとって、この検討事項を強制的にした。
【００９２】
ＦＤＤ＿ＲＳＣＰ＿ｔｈｒｅｓｈｏｌｄの定義もまた、以下のように読めるように以前に修正されている：
−「ＦＤＤ＿ＲＳＣＰ＿ｔｈｒｅｓｈｏｌｄは、ＦＤＤ＿ＲＳＣＰｍｉｎがサービングセル上でブロードキャストされる場合、ＦＤＤ＿ＲＳＣＰｍｉｎ-ｍｉｎ（（Ｐ＿ＭＡＸ−２１ｄＢｍ），３ｄＢ）に等しく、それ以外の場合、これらのパラメータが利用可能である場合、Ｑｒｘｌｅｖｍｉｎ＋Ｐｃｏｍｐｅｎｓａｔｉｏｎ＋１０ｄＢであり、そうでなければＦＤＤ＿ＲＳＣＰｍｉｎのデフォルト値である」。
【００９３】
加えて、アルゴリズムの「ＭＳが記憶してもよい」で始まる段落は、以下のように読まれるように更新された。
【００９４】
すなわち、「ＭＳは、ＵＴＲＡＮ  ＦＤＤセル上にキャンプしようとしながら、同等のＰＬＭＮのＵＴＲＡＮ  ＦＤＤセルから復号される時はいつでも、上記のＵＴＲＡＮセルＲＳＣＰ好適性基準パラメータを記憶するであろう。同等のＰＬＭＮの１つのＵＴＲＡＮ  ＦＤＤセルからのごく最近復号されたパラメータは、全てのＵＴＲＡＮ  ＦＤＤセルに向かう有効再選択基準である。このパラメータのリストは、ＰＬＭＮ選択後に消去されるべきである（３ＧＰＰ  ＴＳ  ２３．１２２参照）」。
【００９５】
この変更は、以下の理由で行われた。
【００９６】
すなわち、「ＦＤＤ＿ＲＳＣＰｍｉｎパラメータがＧＳＭ（登録商標）サービングセルのブロードキャストにおいて提供されない場合、ＦＤＤ＿ＲＳＣＰ＿ｔｈｒｅｓｈｏｌｄは、ＵＴＲＡＮセルのブロードキャスト情報から導出される。これらのパラメータは、各ＵＴＲＡＮセルに対して異なり得る。
【００９７】
どのＵＴＲＡＮセルから、いつＭＳがこれらのパラメータを読み出すべきか、およびいつそれらが再読されるべきかは不明確である。さらに、１つのＵＴＲＡＮセルのパラメータセットが、全てのセルに向かう再選択、またはパラメータが読み出されたＵＴＲＡＮセルのみに向かう再選択に有効であるか否かは不明確である。」
この仕様への変更が行われたときに、概要が以下のように与えられた。
【００９８】
すなわち、「ＭＳは、同等のＰＬＭＮのＵＴＲＡＮ  ＦＤＤセル上にキャンプしようとするときにパラメータセットをリフレッシュするべきであり、したがって、ＧＳＭ（登録商標）セル上にキャンプしている間に、ＵＴＲＡＮ隣接セルからこのパラメータを読み出すように要求されないことが明確にされている。
【００９９】
さらに、ＵＴＲＡＮセルから受信されたパラメータは、全てのＵＴＲＡＮ  ＦＤＤセルに向かう有効な再選択基準であることが明確にされている。」。
【０１００】
前述のように、好適性基準の記憶を必要とする理由は、最初に候補セルのシステム情報ブロック（ＳＩＢ）を読み出す必要なく（そうでなければ、そのセルに適用可能な好適性基準を決定するために読み出される必要がある）、これらの基準を使用して、ＭＳが候補セルを評価することを可能にするためである。多くの場合、セルは、基準を満たさず、このセルのさらなる評価は必要とされない。したがって、以前の試行からの基準を記憶することは、これらの基準を満たさないセルからＳＩＢが読み出される必要がないので、バッテリ消費を有意に削減することができる。
【０１０１】
優先順位ベースの再選択が適用されないときのみ、第６．６．５節が適用されることが上記で記述された。具体的には、第６．６．５節は、「この項でのアルゴリズムは、優先順位情報に基づくセル再選択アルゴリズム（第６．６．６項参照）の使用のための条件が満たされない場合に、ＧＳＭ（登録商標）からＵＴＲＡＮへの再選択に使用されるべきである」と述べている。第６．６．６節「優先順位情報に基づくＲＡＴ間セル再選択のためのアルゴリズム」は、優先順位ベースの再選択基準が、特定の優先順位を有するものとして（同じ周波数上にあり、同じＲＡＴを使用する）一式のセルをオペレータが構成することを可能にし、異なる優先順位を異なるＲＡＴまたは周波数あるいは両方に割り当てることができると定義する。同じＲＡＴの複数の周波数が、優先順位レベルを共有してもよい。２つの周波数は、異なるＲＡＴに使用される場合、優先順位レベルを共有することができない。第６．６．５節で定義され、上記で論議されるアルゴリズムと同様に、標的または候補セルが、２５．３０４仕様で定義され、上記で説明されるように好適であるという要件がある。参考までに、４５．００８仕様の第６．６．５節で定義されるアルゴリズムの抜粋は、以下の通りである。
【０１０２】
「次いで、ＭＳは、以下の基準が満たされる場合、別の無線アクセス技術の好適な（ＵＴＲＡＮについては３ＧＰＰ  ＴＳ  ２５．３０４およびＥ−ＵＴＲＡＮについては３ＧＰＰ  ＴＳ  ３６．３０４を参照）セルを再選択するであろう。Ｓ＿ｎｏｎ−ｓｅｒｖｉｎｇ＿ＸＸＸは、非サービングＲＡＴ間セルの測定品質であり、ＸＸＸは、他の無線アクセス技術／モードを示し、以下のように定義される：
−ＵＴＲＡＮセルについて、セルの周波数に対するＵＴＲＡＮ＿Ｑｒｘｌｅｖｍｉｎを引いたセルの測定されたＲＳＣＰ値である
−Ｅ−ＵＴＲＡＮセルについて、ＴＨＲＥＳＨ＿Ｅ−ＵＴＲＡＮ＿ｈｉｇｈ＿Ｑが提供されない場合、セルの周波数に対するＥ  ＵＴＲＡＮ＿Ｑｒｘｌｅｖｍｉｎを引いたセルの測定されたＲＳＲＰ値であり、そうでなければ、ＴＨＲＥＳＨ＿Ｅ−ＵＴＲＡＮ＿ｈｉｇｈ＿Ｑが提供される場合、セルの周波数に対するＥ−ＵＴＲＡＮ＿ＱＱＵＡＬＭＩＮを引いたセルの測定されたＲＳＲＱ値である
（．．．）。
【０１０３】
別のＲＡＴ間周波数のセルへのセル再選択は、（示される順序で評価される）以下の条件のうちのいずれかが満たされる場合に行われるべきである：
−より高い優先順位のＲＡＴ間周波数の１つ以上のセルのＳ＿ｎｏｎ−ｓｅｒｖｉｎｇ＿ＸＸＸが、時間間隔Ｔ＿ｒｅ−ｓｅｌｅｃｔｉｏｎの間にＴＨＲＥＳＨ＿ＸＸＸ＿ｈｉｇｈ（またはＥ−ＵＴＲＡＮ標的の場合、提供されるならばＴＨＲＥＳＨ＿Ｅ−ＵＴＲＡＮ＿ｈｉｇｈ＿Ｑ）よりも大きい。その場合、移動局は、優先順位の高いものから順に再選択するためにセルを考慮し、およびＳ＿ｎｏｎ−ｓｅｒｖｉｎｇ＿ＸＸＸの高いものから順に、同じＲＡＴ間周波数または同等優先順位のＲＡＴ間周波数のセルを考慮し、上記の条件を満たす第１のセルを再選択するであろう
−Ｓ＿ＧＳＭ（登録商標）の値が、時間間隔Ｔ＿ｒｅ−ｓｅｌｅｃｔｉｏｎの間にサービングセルおよび全ての測定されたＧＳＭ（登録商標）セルに対するＴＨＲＥＳＨ＿ＧＳＭ（登録商標）＿ｌｏｗよりも低い。この場合、移動局は、以下の順序でＲＡＴ間セルを再選択のために考慮し、以下の基準を満たす第１のセルを再選択するであろう
−Ｓ＿ｎｏｎ−ｓｅｒｖｉｎｇ＿ＸＸＸが時間間隔Ｔ＿ｒｅ−ｓｅｌｅｃｔｉｏｎの間にＴＨＲＥＳＨ＿ＸＸＸ＿ｌｏｗ（またはＥ−ＵＴＲＡＮ標的の場合、提供されるならばＴＨＲＥＳＨ＿Ｅ  ＵＴＲＡＮ＿ｌｏｗ＿Ｑ）よりも大きい、より低い優先順位のＲＡＴ間周波数のセル。これらのセルは、優先順位の高いものから順に考慮され、同じＲＡＴのセルについては、Ｓ＿ｎｏｎ−ｓｅｒｖｉｎｇ＿ＸＸＸの高いものから順に考慮されるべきである
−いずれのセルも上記の基準を満たさない場合、時間間隔Ｔ＿ｒｅ−ｓｅｌｅｃｔｉｏｎの間に、Ｓ＿ｎｏｎ−ｓｅｒｖｉｎｇ＿ＸＸＸが少なくとも特定のヒステリシスＨ＿ＰＲＩＯだけサービングセルのＳ＿ＧＳＭ（登録商標）よりも高い、ＲＡＴ間セル。これらのセルは、Ｓ＿ｎｏｎ−ｓｅｒｖｉｎｇ＿ＸＸＸの高いものから順に考慮されるべきである。
【０１０４】
ＵＴＲＡＮ  ＦＤＤセルは、上記の基準に加えて、その測定されたＥｃ／Ｎｏ値がＦＤＤ＿Ｑｍｉｎ−ＦＤＤ＿Ｑｍｉｎ＿Ｏｆｆｓｅｔ以上である場合にのみ選択されるべきである。
【０１０５】
Ｅ−ＵＴＲＡＮ＿ＱｍｉｎがＥ−ＵＴＲＡＮ周波数に対して提供される場合、その周波数上のＥ−ＵＴＲＡＮセルは、上記の基準に加えて、その測定されたＲＳＲＱ値がＥ−ＵＴＲＡＮ＿Ｑｍｉｎ以上である場合にのみ選択されるべきである。
【０１０６】
ＴＨＲＥＳＨ＿Ｅ−ＵＴＲＡＮ＿ｈｉｇｈ＿ＱがＥ−ＵＴＲＡＮ周波数に対して提供される場合、およびＥ−ＵＴＲＡＮ＿ＲＳＲＰｍｉｎが提供される場合、その周波数上のＥ−ＵＴＲＡＮセルは、上記の基準に加えて、その測定されたＲＳＲＱ値がＥ−ＵＴＲＡＮ＿ＲＳＲＰｍｉｎ以上である場合にのみ選択されるべきである。Ｅ−ＵＴＲＡＮ＿ＲＳＲＰｍｉｎが提供されない場合、デフォルト値が使用されるべきである。
【０１０７】
禁止セルのリストに含まれるＥ−ＵＴＲＡＮセルは、セル再選択の候補として見なされるべきではない。Ｅ−ＵＴＲＡＮ周波数上の最強セルが禁止セルのリストに含まれる場合、移動局は、その周波数上の最強有効セル（第８．４．７項参照）を再選択してもよい。
【０１０８】
別の無線アクセス技術（例えば、ＵＴＲＡＮまたはＥ−ＵＴＲＡＮ）のセルへのセル再選択は、好適なＧＳＭ（登録商標）を見出すことができない場合、ＭＳがＲＡＴ間セルからＧＳＭ（登録商標）セルを再選択した後の５秒以内に起こるべきではない。
【０１０９】
移動局が、専用信号を介して受信された共通優先順位または個別優先順位のいずれか一方を適用し、優先順位が、あるＲＡＴ間周波数のみに利用可能である場合、優先順位が利用可能ではない、または閾値がサービングセルによって提供されない周波数に属するセルは、測定のため、およびセル再選択のために考慮されるべきではない。
【０１１０】
「正常にキャンプしている」状態（３ＧＰＰ  ＴＳ  ４３．０２２参照）にある移動局が、専用信号を介して受信された個別優先順位を適用し、優先順位がサービングセルに利用可能ではない場合、移動局は、任意のＧＳＭ（登録商標）セル（サービングセルを含む）が最低優先順位（すなわち、８つのネットワーク構成値よりも低い）を有すると見なすべきである。
【０１１１】
「任意のセル上にキャンプしている」状態（３ＧＰＰ  ＴＳ  ４３．０２２参照）にある移動局は、専用信号を介して受信された個別優先順位を無視するべきであり、好適なセルを見出そうとしながら、サービングセルのシステム情報から受信された優先順位を適用するであろう。移動局がＣＳ音声サービスをサポートする場合、ＭＳは、システム情報の中で提供される優先順位にかかわらず、（好適ではないが）容認可能なＥ−ＵＴＲＡセルを再選択することを回避するであろう。
【０１１２】
注記４：ＭＳが容認可能なセル上にキャンプしている場合、それらの削除につながる事象が起こるまで、個別優先順位は破棄されない。」。
【０１１３】
セルが４５．００８仕様の第６．６．６節に従った優先順位ベース再選択をサポートする場合、その隣接セルのリスト、つまり「隣接セルリスト」（これは、個々のセル、または隣接セルが動作する周波数、あるいは両方を識別してもよい）を、セル上にキャンプしているＭＳに伝送する。リストとともに、Ｓｙｓｔｅｍ  Ｉｎｆｏｒｍａｔｉｏｎ  Ｔｙｐｅ  ２ｑｕａｔｅｒ（ＳＩ２ｑｕａｔｅｒ）メッセージが、上記の抜粋ではＵＴＲＡＮ＿Ｑｒｘｌｅｖｍｉｎと呼ばれる、リストの中の１つ以上のセルに適用可能なパラメータを示してもよい。サービングセル内でブロードキャストされる、候補セルのこのパラメータ、すなわち、ＵＴＲＡＮ＿Ｑｒｘｌｅｖｍｉｎは、好適性チェックで使用されるようなそれぞれのセルによって送信される、対応するＲＳＣＰ閾値に密接に関係することが通常動作において期待される。そのようなものとして、このパラメータは、ＲＳＣＰベースの基準が満たされない限り、候補セルによってブロードキャストされるシステム情報の電力集約型復号および評価を伴わずに、セルがその基準を満たすか否かをＭＳが識別することを可能にする。
【０１１４】
しかしながら、優先順位ベースの再選択のサポートは、非ＬＴＥ対応デバイスにとってはオプションのままである。ＬＴＥ対応デバイスについては、優先順位ベースの再選択が使用されなければならない。また、優先順位ベースの再選択は、リリース７以前のデバイスではサポートされていない。加えて、例えば、セルがＧＥＲＡＮセルである場合、優先順位ベースの再選択がサービングセルで適用可能ではない可能性がある。特にＬＴＥ受信可能範囲の縁の付近で、ＬＴＥが展開された時でさえも、オペレータが優先順位ベースの再選択をサポートするようにＧＥＲＡＮネットワークをアップグレードしない可能性は十分にある。したがって、ＬＴＥセルまたはＵＴＲＡＮセルが優先順位ベースの再選択をサポートする可能性が最も高い一方で、重複または近くのＧＳＭ（登録商標）セルはサポートしない場合がある。優先順位ベースの再選択をサポートするデバイスは、そのような場合において、古い６．６．５規則、すなわち、ランキングアルゴリズムに従った再選択を使用するように要求される。このシナリオでは、ＵＭＴＳまたはＬＴＥ対応セルが利用可能であるが、ＭＳがそれを好適であると見なさない、または電力集約型システム情報受信および復号が必要とされるときに、ＭＳが適切であるよりも長くＧＳＭ（登録商標）セル上にキャンプしたままとなり得るという点で、上記で説明される問題が該当する。
【０１１５】
サービングセル内でブロードキャストされる優先順位ベースの再選択（ＰＢＲ）ＲＳＣＰ閾値パラメータは、オプションであり、ネットワーク構成で設定される。パラメータは、最小限必要な測定ＲＳＣＰレベルとなる（相関する）可能性が高い。加えて、ＰＢＲパラメータは、特定の値としてブロードキャストされ、１つ以上の明示的に信号伝達された周波数と関連付けられてもよく、またはパラメータ値とともに明示的に信号伝達されない周波数のセルとともに使用される「デフォルト」値としてブロードキャストされてもよい。パラメータは、パラメータと関連付けられる同じ周波数上で動作するセルのみに適用可能である。デフォルト値は、隣接セルリストの中の周波数のみに適用される。ブロードキャストデフォルトパラメータの実施例は、３Ｇ優先順位パラメータ説明構造体内で符号化されるＤＥＦＡＵＬＴ＿ＵＴＲＡＮ＿ＱＲＸＬＥＶＭＩＮパラメータであり、明示的に信号伝達された周波数と関連付けられるパラメータの実施例は、反復ＵＴＲＡＮ優先順位パラメータ構造体（３ＧＰＰ  ＴＳ  ４４．０１８  ｖ．１０．３．０参照）内で符号化されるＵＴＲＡＮ＿ＱＲＸＬＥＶＭＩＮパラメータである。いずれのパラメータもセル内でブロードキャストされない場合、アルゴリズムは、使用される値、すなわち、ＵＴＲＡＮ＿Ｑｒｘｌｅｖｍｉｎとして特定する。ＰＢＲパラメータは、ネットワーク構成によりセル内でブロードキャストされていない場合があり、またはＭＳによって完全に受信されていない場合がある。
【０１１６】
この論議の目的で、３つのセルを備えるネットワークが考慮されてもよいが、これは実施例にすぎず、種々の無線アクセス技術（ＲＡＴ）を実装する、より多くのセルが本開示とともに同等に利用されてもよいことが理解されるであろう。説明される実施例では、それとは反対に示されない限り、第１の候補セルである、セルＡはＵＴＲＡＮセルである。別のセルである、セルＢは、現在ＭＳにサービス提供しているセルであり、ＧＥＲＡＮセルである。別のセルである、セルＣは、第２の候補セルである、ＵＴＲＡＮセルでもある。ＧＥＲＡＮおよびＵＴＲＡＮセルがこの説明で使用されるが、任意のＲＡＴを各セルによって実装することができるが、本開示の目的で、セルＡおよびＣは同じＲＡＴを実装するであろうと理解されたい。
【０１１７】
説明されるように、上記の命名法を参照して、ＭＳが、セルＢ（サービングセル）に接続される、または公知であるようにその上にキャンプしている場合、ＭＳは、セルＡおよびＣを評価して、再選択のためのそれらの適切性を決定してもよい。
【０１１８】
ＧＳＭ（登録商標）からＵＭＴＳまたはＬＴＥへのセル再選択中に、上記で説明される既存の３ＧＰＰ  ＴＳ  ４５．００８、第６．６．５節、すなわち、ランキングアルゴリズムに従った再選択は、記憶を命令し、場合によっては、ＵＴＲＡＮ  ＦＤＤセルに対する以前に受信された好適性要件の使用を命令する。
【０１１９】
４５．００８仕様は、登録されたＰＬＭＮを含んでもよい、「同等のＰＬＭＮ」を参照する（概して、これらのプロシージャは、同等のＰＬＭＮのリスト内にある限り、どのＰＬＭＮが考慮されているかを知らず、このリストの中のＰＬＭＮは、「ＰＬＭＮ選択、セル選択／再選択、およびハンドオーバのために相互に同等と見なされる」、ＴＳ  ２３．１２２、第４．４．３項）。テキストは、これらの値がＰＬＭＮ選択上で消去されることを続けて示すが、異なる同等のＰＬＭＮの間の再選択は、ＰＬＭＮ選択と見なされない。
【０１２０】
これは、例えば、２つのオペレータのＰＬＭＮが相互に同等として設定される、国内ローミングシナリオで、１つのローミングパートナーからの好適性基準が第２のローミングパートナー（またはホームあるいはサービングＰＬＭＮ）のセルに適用される、シナリオにつながってもよい。同等のＰＬＭＮの使用は、オペレータの決定次第であり、これらの問題の範囲は、どのように、またはなぜ同等のＰＬＭＮが使用されるか、あるいはそれらがそもそも使用されるか否かに限定されない。
【０１２１】
より重要なことには、より一般的に、セルまたはセルのカテゴリ（特定の周波数で動作するもの等）に対する閾値基準が、別のセルまたはセルのカテゴリ（同じまたは異なる同等のＰＬＭＮのいずれか一方で、別の周波数上で動作する物等）に対するものとは異なる場合に、そこから移動局が要件を受信（および記憶）した最新のＵＴＲＡＮセルに依存し得る、記憶された要件に応じて、移動局の挙動がかなり変化する可能性がある。
【０１２２】
より具体的には、アイドルモードにあるデバイスが、１つの周波数のセル上にキャンプし、接続モードにある（すなわち、アクティブな進行中データまたは音声通話を伴う）デバイスが、異なる周波数のセル内で動作することをオペレータが希望する、例示的なシナリオを考慮することができる。オペレータは、好適性基準を用いて、特定の周波数へのアイドルモード再選択を（それを実用的に不可能にする点まで）阻止することによって、これを達成し得る、すなわち、好適性基準は、携帯電話がこれらの基準を満たす可能性が非常に低くなるように設定される。
【０１２３】
既存の規則によれば、ＵＥは、アイドルモード再選択が制限されることを目的としていない、第２の周波数上のセルを含む、任意の周波数上のＵＴＲＡＮセルを評価するときに、これらの同じ基準（第１の周波数上のセルを再選択する試行（成功しない可能性が高い）の一部として復号した）を記憶し、適用してもよい。
【０１２４】
記憶された基準が満たされる可能性が非常に低いため、ＭＳは再選択を試行しない（ＭＳは、標的セルのシステム情報を読み出すことなく、したがって、実際に、好適性基準がこのセルに対して満たされることを決定することができず、この段階で再選択を放棄してもよいことに留意されたい）。
【０１２５】
この問題は、２Ｇから３Ｇへのセル再選択を制限し、潜在的にデバイスを本質的に２Ｇに縛られた状態にさせ得る（または少なくとも、意図されたよりも長くそこにとどまらせる）。場合によっては、デバイスは、電源がオフにされた場合、またはＰＬＭＮ再選択が起こった場合にのみ、３Ｇに進むことができる（３ＧＰＰ  ＴＳ  ２３．１２２参照）。
【０１２６】
優先順位ベースの再選択の場合、携帯電話が１つのセルから非常に厳格な基準を記憶している、例示的な場合を考慮すると、これは、たとえ再選択評価を可能にする全ての（正しい）基準がサービングセル内で利用可能であっても、優先順位ベースの再選択の一部としての第２のセルを評価を不適切に放棄させる場合がある。
【０１２７】
上記のシナリオに加えて、さらなる問題が閉鎖加入者グループ（ＣＳＧ）セルの使用によって生成される。ホームノードＢ（ＨＮＢ）、ホームｅＮＢ（ＨｅＮＢ）、またはフェムトセルは、ＵＭＴＳおよびＬＴＥ（Ｅ−ＵＴＲＡＮ）が屋内およびマイクロセル受信可能範囲を向上させるため、ならびに「ホーム」への有線帰路を活用するために導入される概念である。「フェムトセル」は、非常に小さい受信可能範囲を伴い、一般的には私的構内（私的または企業のいずれか一方）に設置された任意のセルを意味するために、３ＧＰＰ外で広く使用されていることに留意されたい。ＨｅＮＢ／ＨＮＢという用語は、特定の意味、すなわち、セルが閉鎖加入者グループ（ＣＳＧ）セルまたはハイブリッドセルであるという意味とともに、３ＧＰＰで使用される。
【０１２８】
ＨｅＮＢ／ＨＮＢ機能性の重要な側面は、特定のユーザにアクセスを制限する能力である。例えば、敷地でＨ（ｅ）ＮＢが展開されている会社の従業員、特定のコーヒーショップチェーンの顧客、または（個人宅で展開されたＨ（ｅ）ＮＢの場合）個人に制限する。
【０１２９】
この機能性を達成するために、３ＧＰＰは、閉鎖加入者グループの概念を定義している。ＣＳＧセルは、（システム情報の中でブロードキャストされる１ビットを用いて）ＣＳＧセルであることを示し、（同様にシステム情報の中で）ＣＳＧ  ＩＤをブロードキャストするものである。セルは、１つ（またはゼロの）ＣＳＧ  ＩＤを示すことしかできないが、複数のセルがＣＳＧ  ＩＤを共有してもよい。デバイス（ＵＥまたはＭＳ）は、複数のＣＳＧに登録されてもよい。そのような登録は、本質的に一時的であってもよい（例えば、コーヒーショップがそのＣＳＧへの１時間のアクセスを顧客に許可する）。
【０１３０】
ＣＳＧセルは、「フェムト」セルとして、または非協調（すなわち、「マクロ」セルに使用されるような通常無線計画の対象とならない）受信可能範囲を提供するため、あるいは両方で使用されてもよい、セルの特定のカテゴリである。それらは、特定の登録（例えば、雇用主、学校／大学、コーヒーショップ等と関連付けられる）を有するユーザに限定されてもよい。
【０１３１】
「マクロ」セルという用語は、３ＧＰＰ仕様では重要性がないが、ＣＳＧセル以外のセルを意味するために広く使用され、この説明ではそれに従って使用される。
【０１３２】
ＣＳＧセルは、ＵＴＲＡＮまたはＥ−ＵＴＲＡＮプロトコルおよび無線仕様を使用して動作してもよく、および非ＣＳＧセルにとって同じまたは異なる周波数で動作してもよい。
【０１３３】
ＵＭＴＳ  ＣＳＧセルは、非ＣＳＧセルの隣接セルリストに記載されず、したがって、レガシーＵＭＴＳデバイス（すなわち、リリース７以前）は、そのようなセルを検索しない。そのようなデバイスがＣＳＧセルにアクセスしようとした場合、その登録試行は拒絶される。
【０１３４】
Ｅ−ＵＴＲＡＮは、最初にリリース８で特定され、したがって、全てのＥ−ＵＴＲＡＮ対応デバイスは、たとえＣＳＧ登録がなくても、必然的に「ＣＳＧ認識」デバイスとなる。
【０１３５】
これらのセルに対する再選択基準は異なる。単純に、セルが好適であり、周波数上で最強であり、デバイスにアクセス可能である（すなわち、セルへの登録がある）ことが要求される。
【０１３６】
概して、ネットワークオペレータは、ＣＳＧセルへの登録があるデバイスが、非ＣＳＧセルに優先して、そのセル上にキャンプすることを切望している。しかしながら、ＣＳＧセルを検索するためのデバイスによる決定は、実装特有であり、手動でトリガされてもよい。デバイスは、アクセスすることができるセルの場所に対応する何らかの情報（ＧＰＳ座標、検出されるマクロセルのリスト等）を記憶し、後続のアクセスを加速するためにこれを使用することが期待され、これは「フィンガープリンティング」と呼ばれる。
【０１３７】
どの標的セル上にキャンプするかという決定はまた、ＵＴＲＡＮおよびＥ−ＵＴＲＡＮに対して定義されるセル選択および選択規則にも依存している。現在、リリース８では、その特定の搬送波周波数を使用する、任意のセルのうちの最良のセル（すなわち、最強信号強度を伴うセル）である場合にのみ、ＵＥがセルを再選択してもよいことが特定されている。また、ＵＥが好適なＣＳＧセル上にキャンプしている間に、ＵＥは常に、現在の周波数が最高優先順位の周波数であると見なすべきであることも特定されている。
【０１３８】
ＣＳＧセルから非ＣＳＧセルに向かうアイドルモード再選択は、そのようなセルへの再選択のためのレガシー挙動に従う。しかしながら、ＣＳＧセルへのセル再選択のためのパラメータは、サービングセル内で利用可能となる可能性が高く、したがって、（上記で説明されるように、優先順位ベースの再選択の場合のように）基準がどのようなものになり得るかに関するヒントがデバイスにない。さらに、これらのセルは、非常に限定された受信可能範囲を提供するように構成される可能性が高く、それらの好適性要件が、非ＣＳＧセルと比較して、比較的厳格となり得ることを意味する。ＣＳＧセルから好適性要件を記憶し、それらを非ＣＳＧセル上で使用する（またはその逆も同様）ことにより、非常に低頻度の再選択試行（記憶された基準が非常に高いため）、または枯渇バッテリ寿命（候補セルのシステム情報を読み出す前に、セルが好適性要件を満たすと誤って決定された場合）のいずれか一方をもたらし得る。ＣＳＧセルの間でさえも、異なるセルが非常に異なる要件を有してもよい。
【０１３９】
ＣＳＧセルは、専用周波数上で動作するため、または物理層識別の範囲がネットワーク内で伝送されるため、それらの物理層識別（周波数、物理層識別、一次スクランブリングコード等）等のみに基づいて識別可能であってもよい。
【０１４０】
ハイブリッドセル（リリース９で導入される）は、非ハイブリッドセルからの異なる好適性要件を有してもよい、セルのさらなるカテゴリである。
【０１４１】
Ｅ−ＵＴＲＡＮでは、隣接セルリストが明示的ではない、すなわち、セルを積極的に識別しない。それらは単純に、周波数、および随意で、携帯電話がアクセスしようとするべきではない「禁止」（ブラックリスト）セルのリストを示す。デバイスは、ブラインドサーチによって周波数上のセルを検出することが期待される。しかしながら、これは、検出されたセルの多くがＣＳＧセルである場合において、有意な問題につながり得る。ＣＳＧ登録がないデバイスによる、そのようなセルの不必要な処理を最小化するために、ネットワークは、随意で、ＣＳＧセルに適用可能な「ＰＣＩ分割」、つまり、ＣＳＧセルに確保されている一式の物理層セル識別／識別子を示してもよい。
【０１４２】
ＰＳＣ分割は、オペレータが隣接セルリストの中にＣＳＧセルを記載しない場合において、ＵＭＴＳセルに対する類似指示である。
【０１４３】
また、ハイブリッドセルと非ハイブリッドセルとを区別するためにＰＣＩ／ＰＳＣ分割を使用することも論議されている。
【０１４４】
ＣＳＧセルは（他の非ＣＳＧセルと比較して、またはおそらく他のＣＳＧセルと比較しても）再選択のための有意に異なる基準を有してもよく、それらは、上記で説明されるように、（例えば、物理層パラメータ、周波数／ＰＳＣ／ＰＣＩ等に基づいて）ブロードキャストシステム情報の復号を必要とせずに、ＣＳＧセルであるとして識別可能であってもよいことが注目に値する。
【０１４５】
現在、上記で識別および説明される問題を解決する方法は存在しない。
【０１４６】
（本開示の実施例）
本開示によれば、候補セルの評価が効率的で現在の解決策よりも正確となるために、セルから復号される閾値基準が選択的に記憶されて使用されることが提案される。
【０１４７】
例示的な実装として、記憶された好適性要件の記憶および使用が、物理層で判別することができるセル（またはセルの部類）を区別し、例えば、物理層アドレス（またそれらの範囲）および／または動作周波数が、セルのカテゴリを区別するために使用されることが提案および説明されている。このようにして、ＭＳは、そのセル上で通信チャネルを確立する必要なく、セルの部類または個別セルに従って、記憶された好適性要件を区別することができる。一実施例では、セルの周波数またはセルの識別に従って、要件が使用される。一実施例では、ＣＳＧセル対非ＣＳＧセル要件が、例示的な区別である（ＣＳＧセルは、ＰＣＩ（Ｅ−ＵＴＲＡＮセル）またはＰＳＣ（ＵＴＲＡＮセル）のいずれか一方であってもよい、物理層アドレスの専用範囲を使用する可能性が高い）。加えて、記憶されたパラメータの使用は、個別ＣＳＧセルに制限されてもよい（すなわち、データが受信されたセルと同じセルを評価する際にしか使用することができない）。
【０１４８】
加えて、以前に記憶された好適性要件（ランキングベースの再選択の結果として得られていてもよい）は、優先順位ベースの再選択規則に従ってセルを評価するときに使用されるべきではない。これは、対応する（信号品質／信号強度）パラメータが現在のサービングセル内で利用可能であるか否かに依存していてもよい。ネットワークは、これらのパラメータを送信しないように構成されてもよく、すなわち、パラメータは、現在のサービングセルのシステム情報に含まれなくてもよい。
【０１４９】
第１の実施形態では、閾値基準が記憶され、適用可能なセルの周波数に従って使用される。例えば、閾値パラメータが、デバイス上に記憶され、それらが復号されたセルの周波数に関連する。次いで、これらのパラメータは、その周波数のセルを評価するときに使用されるのみである。このようにして、特定の周波数を有するセルのネットワークで定義された構成は、ＭＳを誤ってセル上にキャンプしたままにさせることを妨げられる。さらなる実施形態では、優先順位ベースの再選択については、閾値基準が記憶され、優先順位レベルごとの基準で再利用されてもよい。
【０１５０】
図４に図示されるように、記憶された好適性要件の記憶および使用は、周波数ごとの基準であってもよい。言い換えれば、周波数Ａ上のセルから復号される要件は、同じ周波数上の他のセルの評価のみに使用される。
【０１５１】
図示したプロセスは、ＭＳがサービングセル上にキャンプしている状態で始まる。この説明では、サービングセルは、「セルＢ」として表されてもよい。サービングセルは、任意のＲＡＴのものであってもよいが、この実施例では、便宜上ＧＳＭ（登録商標）セルと見なされてもよい。ＭＳがセル再選択またはセル選択によってサービングセル上にキャンプしているか否かは無関係である。随意で、ＭＳは、ＵＭＴＳまたはＬＴＥ隣接セルリストを取得する。これは、サービングセル内でブロードキャストされてもよく、または別様に取得されてもよい（ステップ４０４）。再選択パラメータは、隣接セルリストから復号されてもよい（ステップ４０６）。
【０１５２】
いったんこれらのオプションのステップが行われると、次いで、ＭＳが候補セルを識別してもよい。これは、隣接セルリストに由来してもしなくてもよい。次いで、ＭＳは、信号強度、信号品質、または信号電力等のセルの特性を識別するように、識別されたセルの測定をし、取得する（ステップ４０８）。ステップは、任意の特定の順序で実行されてもよいことが理解されるであろう。具体的実施例では、候補セルが識別される前に、測定がリストの中の全てのセルに対して行われることが構想されてもよい。
【０１５３】
いったん候補セルが識別され、そのセルの測定が行われると、ＭＳは、セルが初期再選択要件を満たすか否かを決定する（ステップ４１０）。この試験は、隣接セルリストの中のサービングセルから復号されるパラメータに基づいてもよい。セルがこれらの初期再選択要件を満たさないと見なされた場合には、ＭＳは、サービングセル上にキャンプしたままとなり、再選択プロセスを続けない。
【０１５４】
セルが初期再選択要件を満たすとＭＳが決定した場合には、ＭＳは、別のセルから以前に復号された好適性に関係する記憶された基準を有するか否かをチェックする（ステップ４１２）。パラメータは、セルの好適性を評価するときに、セルのシステム情報から復号されていてもよい。ＭＳが記憶された基準を有する場合には、ＭＳは基準が候補セルと同じ周波数を有するセルに由来するか否かを決定する（ステップ４１４）。基準は、候補セルと同じ周波数上で動作するセルのシステム情報から復号されていなければならない。これを可能にするために、ＭＳは、データ記憶における基準と関連して、基準が決定されたセルの周波数の指示を維持するように要求されてもよい。この説明では、候補セルは、便宜上「セルＣ」と呼ばれてもよい。
【０１５５】
パラメータが候補セルと同じ周波数を有するセルに由来すると決定された場合、候補セルは、再選択のためのその適切性についてチェックされる（ステップ４１６）。以前の好適性チェックからの記憶された基準は、セルがこれらの要件を満たすか否かを決定するために使用される。一実施例では、ＭＳによって行われる測定は、セルが特定の閾値を満たすか否かを決定するために使用される。候補セルが、記憶されたパラメータに基づく要件を満たさない、または超えない、例えば、セルからＭＳによって受信された信号の特性が、パラメータによって示される閾値を超えない場合、プロセスが停止し、ＭＳがサービングセル上にキャンプしたままとなる。信号の属性は、例えば、０ｄＢまたは＋１０ｄＢであり得る所定量だけ、閾値を超える必要があってもよいことに留意されたい。パラメータは、最小受信レベル、ＱＲＸＬＥＶＭＩＮ値であってもよい。
【０１５６】
従来、記憶されたＱｒｘｌｅｖｍｉｎ値は、−１１５から−２４ｄＢｍの範囲を有してもよく、３Ｇセルのシステム情報にそれを含むことが強制的であるため、デフォルト値がない。Ｑｒｘｌｅｖｍｉｎは、そのセルに対する好適性パラメータであってもよい。
【０１５７】
Ｐｃｏｍｐｅｎｓａｔｉｏｎは、４５．００８仕様の第６．６．５節でも現在参照されている、セル内でブロードキャストされる１つ以上のパラメータから（少なくとも部分的に）導出される、さらなる好適性パラメータである。その値は、０ｄＢとなる可能性が最も高い。
【０１５８】
パラメータに基づいて、候補セルが要件を満たす、または超えることが決定された場合には、ＭＳは、続いて、既知の方式で、例えば、セルの周波数に同調し、復号されたデータを使用してそれを評価することによって、セルをさらに評価してもよい。ＭＳが利用可能な記憶された基準を持たない場合（ステップ４１２）、またはＭＳが候補セルと同じ周波数を有するセルから得られる、記憶された基準を持たない場合（ステップ４１４）には、この復号が行われる。
【０１５９】
随意で、ステップ４１８で好適性パラメータを復号するように候補セルのシステム情報を取得する前に、示されていないが、明示的に信号伝達されないデフォルトパラメータを使用して、ＭＳが候補セルを評価してもよい。一実施例では、デフォルトパラメータは所定量であり、再選択仕様で特定される。候補セルがこのデフォルトパラメータに基づく要件を満たさない場合、ＭＳは再選択を続けず、ＭＳはサービングセル上にキャンプしたままとなる。ＭＳがデフォルトパラメータに基づくこれらの要件を満たす場合、ＭＳは再選択プロセスを続ける。
【０１６０】
図示した実施例では、ステップ４１８で、ＭＳが候補セルのシステム情報を取得してもよい。これを行うために、ＭＳは、セル上で通信チャネルを確立し、その周波数に同調してもよい。システム情報は、システム情報ブロック（ＳＩＢ）の形態であってもよく、セルの周波数に同調し、その上に通信チャネルを確立することによって得られてもよい。システム情報は、一般的であり、本開示の全体を通して参照されるＳＩＢ以外のブロックから導出されてもよい。次いで、ＭＳは、好適性パラメータを取得するようにシステム情報を復号し、これらのパラメータに基づいてセルを評価する（ステップ４２０）。ＭＳが、例えば、復号されたパラメータに加えて、以前に行われた測定に基づいて、これらの要件を満たすと決定された場合（ステップ４２２）、ＭＳは、候補セル上にキャンプし、それへの再選択を行ってもよい（ステップ４２４）。ＭＳが不適切であると見なされた場合、ＭＳはサービングセル上にキャンプしたままとなる。
【０１６１】
加えて、および随意で、ＭＳが新しいセル（図示せず）内にキャンプしているときに、登録更新が行われてもよい。この登録更新は、ＭＳが新しいセルまたは新しい登録地域に再選択したことをネットワークに明示的に通知してもよい。加えて、および随意で、データが新しいセル（図示せず）内のネットワークに伝送され、ネットワークから受信されてもよい。登録更新ステップ（図示せず）は、例えば、ルーティング地域更新、位置更新、複合ルーティング地域更新、または類似物を含んでもよい。登録更新に関するさらなる情報については、参照することにより本明細書に組み込まれる、３ＧＰＰ  ＴＳ  ２４．００８仕様、「移動無線インターフェース３層仕様；コアネットワークプロトコル；段階３」を参照されたい。
【０１６２】
図５は、情報フローの高レベル図を提供する。ＭＳが３Ｇセル５０４上にキャンプしているときに、ＲＳＣＰ好適性基準パラメータは、セルの周波数に従って記憶される。この記憶５０６は、複数のパラメータおよび周波数を含有してもよい。示されるように、２Ｇから３Ｇへのセル再選択、すなわち、セル５０２からセル５０４への再選択を行うときに、記憶された情報は周波数ごとの基準で使用される。
【０１６３】
上記の実施例を達成するために、ＭＳが周波数および閾値パラメータのリストを維持することが有利であってもよい。例えば、遭遇した新しい周波数を有する全セルについて、その周波数の閾値パラメータが記憶される。加えて、新しいパラメータが特定の周波数を有するセルから復号されるたびに、記憶された基準を置換することができる。これは、セルが以前に基準を満たした場合に（ステップ６１６）、いったんＭＳがセルのシステム情報を復号する（ステップ４２０）と、起こってもよい。
【０１６４】
別の実施形態では、記憶され、周波数ごとの基準で使用される代わりに、各閾値パラメータは、セルごとの基準のみで使用されてもよい。図６は、この実施例を図示する。ステップ６０２で、ＭＳはサービングセル上にキャンプしている。ＭＳは、最初に、サービングセルから隣接セルリストを受信してもよい（ステップ６０４）。次いで、ＭＳは、サービングセルによってブロードキャストされる隣接セルリストから、ある再選択パラメータを復号してもよい（ステップ６０６）。次いで、ＭＳは、候補セルを識別し、信号強度、品質、または電力等のそれの測定を行う（ステップ６０８）。セルが再選択要件を満たさない場合、ＭＳはサービングセル上にキャンプしたままとなる。候補セルが再選択要件を満たす場合（ステップ６１０）、ＭＳは、続けて、利用可能な記憶された基準を有するか否かをチェックする（ステップ６１２）。利用可能な記憶された基準が全くない場合、ＭＳは再選択プロセスを続け、システム情報を復号するようにセルの周波数に同調する。
【０１６５】
次いで、ＭＳは、候補セルと同じｃｅｌｌ＿ＩＤを有するセルから得られた、利用可能な記憶された基準があるか否かをチェックする（ステップ６１４）。適用可能な記憶された基準がない、すなわち、いずれの基準も候補セルと同じｃｅｌｌ＿ＩＤを有するセルから得られなかった場合、ＭＳは再選択プロセスを続け、システム情報を復号するようにセルの周波数に同調する。
【０１６６】
ｃｅｌｌ＿ＩＤは、セルのスクランブリングコードであってもよく、またはセルの別の識別子であってもよい。ｃｅｌｌ＿ＩＤは、全体的に一意的である必要はないが、局所的に一意的であってもよい。この特定の実施例でセルを区別するために使用される識別子は、セルのシステム情報を復号する必要なく、候補セルを識別することができるように、物理層から導出することができる識別子、すなわち、物理層識別子である。そのような局所的に一意的な識別子（物理層から導出することができる）の実施例は、Ｅ−ＵＴＲＡＮセルの「物理層セル識別子」およびＵＴＲＡＮセルの「一次スクランブリングコード」を含む。
【０１６７】
このようにして、基準は、それが得られたセルのみに適用することができる。これは、ＭＳが不必要に「閉じ込められ」得る、従来の再選択の制限を未然に防ぐ。既知の記憶方法と比較すると、バッテリ寿命が依然として最小化され、パラメータが記憶されない場合、ＭＳが、パラメータを復号するように複数回セルの周波数に同調しようとしないので、それらが記憶および再利用されるためには１回が十分である（例えば、測定が変化する場合に再利用されてもよい）。
【０１６８】
ＭＳが、候補セルと同じｃｅｌｌ＿ＩＤを有するセルから得られる、記憶された基準を有する場合、候補セルは、例えば、ステップ６０８で行われた測定を使用して、これらの基準に対して比較される（ステップ６１６）。この試験が成功した場合、ＭＳは再選択プロセスを続ける。成功しなければ、ＭＳはサービングセル上にキャンプしたままとなる。
【０１６９】
随意で、ステップ６１８で好適性パラメータを復号するように候補セルのシステム情報を取得する前に、示されていないが、明示的に信号伝達されないデフォルトパラメータを使用して、ＭＳが候補セルを評価してもよい。一実施例では、デフォルトパラメータは所定量であり、再選択仕様で特定される。候補セルがこのデフォルトパラメータに基づく要件を満たさない場合、ＭＳは再選択を続けず、ＭＳはサービングセル上にキャンプしたままとなる。ＭＳがデフォルトパラメータに基づくこれらの要件を満たす場合、ＭＳは再選択プロセスを続ける。
【０１７０】
次いで、上記で説明される条件が満たされる、または場合によっては満たされない場合に、ＭＳは、候補セルの周波数に同調し、システム情報を取得する（ステップ６１８）。次いで、再選択のためのセルの好適性が、システム情報から復号されるパラメータに基づいて評価される（ステップ６２０）。セルが好適性要件を満たす場合（ステップ６２２）、ＭＳはセル上にキャンプしてもよい（ステップ６２４）。もしそうでなければ、ＭＳはサービングセル上にキャンプしたままとなってもよい（ステップ６０２）。ＭＳは、各ｃｅｌｌ＿ＩＤについて、復号された最新のパラメータが記憶および置換されるように、セルパラメータリストを維持してもよい。このようにして、記憶された基準が使用されるたびに、そのセルに対して可能な限り正確になる可能性が最も高い。
【０１７１】
さらなる実施例では、閉鎖加入者グループセル（ＣＳＧ）セルは、非ＣＳＧセルとは異なって扱われてもよい。既知のアルゴリズムでは、これらのセルに適用し、これらのセルから取り出すことができる、パラメータに関する区別がない。一実施形態では、上記で説明されるのと同様に、パラメータは、ＣＳＧセルから復号された場合、別々に記憶されてもよい。次いで、このパラメータは、同様にＣＳＧセルであるセルのみに適用されてもよい。付加的な実施例では、記憶されたＣＳＧ基準は、基準が得られたセルと同じ周波数上で動作する、ＣＳＧ候補セルのみに適用されてもよい。さらに、記憶されたＣＳＧ基準は、基準が得られたセルと同じＩＤを有する、ＣＳＧ候補セルのみに適用されてもよい。このようにして、ＣＳＧパラメータが非ＣＳＧセルに対して記憶および使用されず、ＣＳＧパラメータがＣＳＧセルのみに対して適用されるため、ＣＳＧセルが有意に異なる再選択基準を有してもよいという事実は、非ＣＳＧセル再選択を妨げない。
【０１７２】
図７は、パラメータがＣＳＧセルから導出される場合にのみ、ＣＳＧセルのみに適用される、この実施例を図示する。ステップ７０２では、ＭＳがサービングセル上にキャンプしている。ＭＳは最初に、サービングセルから隣接セルリストを受信してもよい（ステップ７０４）。次いで、ＭＳは、サービングセルからブロードキャストされる隣接セルリストからある再選択パラメータを復号してもよい（ステップ７０６）。次いで、ＭＳは、候補セルを識別し、信号強度、品質、または電力等のそれの測定を行う（ステップ７０８）。候補セルは、ＣＳＧセルである。セルが再選択要件を満たさない場合、ＭＳはサービングセル上にキャンプしたままとなる。候補セルが再選択要件を満たす場合（ステップ７１０）、ＭＳは、続けて、利用可能な記憶された基準を有するか否かをチェックする（ステップ７１２）。いずれの基準もない場合、ＭＳは再選択プロセスを続け、システム情報を復号するようにセルの周波数に同調する。
【０１７３】
次いで、ＭＳは、ＣＳＧセルから得られた、記憶された基準が利用可能であるか否かをチェックする（ステップ７１４）。もしそうでなければ、ＭＳは再選択プロセスを続け、システム情報を復号するようにセルの周波数に同調する。
【０１７４】
ＭＳが、ＣＳＧセルから得られる、記憶された基準を有する場合、候補ＣＳＧセルは、例えば、ステップ７０８で行われた測定を使用して、これらの基準に対してチェックされる（ステップ７１６）。この試験が成功した場合、ＭＳは再選択プロセスを続ける。成功しなければ、ＭＳはサービングセル上にキャンプしたままとなる。
【０１７５】
次いで、上記で説明される条件が満たされるか、または場合によっては満たされない場合に、ＭＳは、候補セルの周波数に同調し、システム情報を取得する（ステップ７１８）。次いで、再選択のためのセルの好適性が、システム情報から復号されるパラメータに基づいて評価される（ステップ７２０）。セルが好適性要件を満たす場合（ステップ７２２）、ＭＳはセル上にキャンプしてもよい（ステップ７２４）。もしそうでなければ、ＭＳはサービングセル上にキャンプしたままとなってもよい（ステップ７０２）。
【０１７６】
随意で、ステップ７１８で好適性パラメータを復号するように候補セルのシステム情報を取得する前に、示されていないが、明示的に信号伝達されないデフォルトパラメータを使用して、ＭＳが候補セルを評価してもよい。一実施例では、デフォルトパラメータは所定量であり、再選択仕様で特定される。候補セルがこのデフォルトパラメータに基づく要件を満たさない場合、ＭＳは再選択を続けず、ＭＳはサービングセル上にキャンプしたままとなる。ＭＳがデフォルトパラメータに基づくこれらの要件を満たす場合、ＭＳは再選択プロセスを続ける。
【０１７７】
図８は、本開示による記憶プロセスを図示する。図８では、セルがＣＳＧセルである場合にプロセスを停止するステップは、ＣＳＧセルからのパラメータが記憶または再利用されない場合にのみ適用される。加えて、以前に記憶されたパラメータを削除するステップはオプションである。これはＣＳＧ基準の記憶を例示するが、例示はまた、周波数または識別特有のパラメータを記憶する非ＣＳＧセルにも適用可能であり、それにより、パラメータの記憶のための基準が必要に応じて改変される。
【０１７８】
ＭＳがサービングセル上にキャンプしている状態で（ステップ８０２）、ＭＳは、セルのシステム情報を復号してもよい（ステップ８０４）。「セルＡ」と呼ばれるセルは、ＭＳが以前に評価した候補セルであってもよく、または任意の他のセルであってもよい。既知の方式で、ＭＳは、パラメータが復号されるセルであるセルＡが、サービングセルと同じかまたは同等のＰＬＭＮのものであるか否かを評価してもよい（ステップ８０６）。もしそうでなければ、パラメータは記憶されなくてもよく、プロセスは停止してもよい（ステップ８０６）。もしそうであれば、プロセスは継続してもよい。これは、不必要なパラメータが記憶されず、ネットワークが記憶されたパラメータの構成を制御することが可能であってもよいことを確実にする。次に、本実施例によれば、ＭＳは、パラメータがＣＳＧセルから導出されているか否かをチェックする（ステップ８１０）。もしそうである場合には、プロセスが停止し、パラメータが記憶されない（ステップ８１２）。これは、本開示の一実施例にすぎない。パラメータが非ＣＳＧパラメータから独立して記憶され、ＣＳＧパラメータがＣＳＧセルを評価するためだけに使用される他の実施例が本明細書で説明される。
【０１７９】
前述の実施例によれば、次いで、ＭＳは、パラメータが導出されたセルの周波数を識別してもよい（ステップ８１４）。次いで、システム情報から復号される好適性基準は、ＭＳによって記憶され、後続の使用のためにセルの周波数と関連付けられる（ステップ８１６）。次いで、このセルの周波数と関連付けられる任意の以前のパラメータ、すなわち、Ｆ＿Ａが、随意で削除されてもよい（ステップ８１８）。次いで、プロセスが終了してもよい（ステップ８２０）。上記の記憶プロセスは、セルの一意的な識別子または説明された基準の適用性の任意の組み合わせに関連して、パラメータを記憶するプロセスに同等に適用可能である。
【０１８０】
さらなる実施例では、ＭＳがそのセルに対するパラメータを記憶するべきではないことを示すように、セルが「記憶しない」フラグをブロードキャストしてもよいことが検討される。これは、例えば、非常に特殊または独特な設定を有し得る試験セルにとって有用であってもよい。代替として、パラメータが全く記憶されるべきではないセル、例えば、図８に図示されるようなＣＳＧセルのうちの１つ以上、禁じられたセル、または特定の拒絶原因が受信されたセルの何らかの暗示的指示または定義があってもよい。
【０１８１】
記憶されたパラメータ（具体的には、非常に制限的なパラメータ）がタイムアウトし、永久的に再選択を制限しないことを確実にするように、記憶された値はまた、タイマーの終了の対象となってもよい。
【０１８２】
ごく最近受信した値による、記憶された値の置換はまた、以下の
−復号された値の絶対値
−以前に記憶された値に対する値（ある差異よりも高い／低い／大きい）
に基づいて制限されてもよい。
【０１８３】
これは、明らかに非常に制限的なパラメータまたは異常なパラメータの記憶を防止するため、またはデバイスが記憶されたパラメータに基づく再選択評価を誤って放棄することを回避するように、最も楽観的な値が記憶されていることを概して確実にするために有用であり得る。
【０１８４】
ＭＳによって記憶されたパラメータは、アイドルモード再選択を通して得られていてもよく、または代替として、接続モードで、あるいは何らかの他の方法を介して得られていてもよい。パラメータは、セルのシステム情報を復号することを介して得られることが説明されている。必ずしもこうである必要はなく、例えば、パラメータをシステム情報とは別にブロードキャストすることができる。上記で説明される方法に対する、パラメータを得て記憶する他の方法が構想される。
【０１８５】
図１０から１４は、本開示のある実施例を図示する。当然ながら、これらの説明された実施例のうちのいずれかを組み合わせることができると構想される。図１０は、最初に第１のＵＴＲＡＮセル１のシステム情報ブロック（ＳＩＢ）を読み出す、ＭＳを図示する。Ｑｒｘｌｅｖｍｉｎパラメータが、ＭＳ上に記憶され、パラメータが由来したＵＴＲＡＮセル１の周波数ＦＲＥＱ１と関連付けられる。おそらくセル１が再選択のために適切ではないので、ＭＳはＧＳＭ（登録商標）サービングセル上に残るが、理由は無関係である。次いで、ＭＳは、再選択のためにＵＴＲＡＮセル２を評価する。セル２の周波数ＦＲＥＱ２がＦＲＥＱ１と等しい場合には、ＭＳは、セル２を評価するために記憶されたＱｒｘｌｅｖｍｉｎ値を使用する。示されていないが、評価が成功した場合、ＭＳはセル２に再選択し、または代替として、この試験後に再選択が成功することが決定的とならない場合があるため、ＭＳはセル２に向かう再選択プロセスを継続または完了する。また、示されていないが、周波数が等しくない場合、記憶されたパラメータなしで評価が行われる。
【０１８６】
図１１は、最初に第１のＵＴＲＡＮセル１のＳＩＢを読み出すＭＳを図示する。Ｑｒｘｌｅｖｍｉｎパラメータが、ＭＳ上に記憶され、パラメータが由来したＵＴＲＡＮセル１の識別ＩＤ１と関連付けられる。識別ＩＤ１は、例えば、スクランブリングコードであってもよい。ＭＳはＧＳＭ（登録商標）サービングセル上に残る。次いで、ＭＳは、再選択のためにＵＴＲＡＮセル２を評価する。セル２のＣｅｌｌ＿ＩＤ２がＩＤ１と等しい場合には、ＭＳは、セル２を評価するために記憶されたＱｒｘｌｅｖｍｉｎ値を使用する。示されていないが、評価が成功した場合、ＭＳはセル２に再選択する。また、示されていないが、Ｃｅｌｌ＿ＩＤが等しくない場合、記憶されたパラメータなしで評価が行われる。
【０１８７】
図１２は、ＣＳＧセルに関する本開示の実施例を図示する。ＭＳは最初に、第１のＵＴＲＡＮセルのシステム情報ブロック（ＳＩＢ）を復号する。ＭＳは、セルがＣＳＧセルではなくＵＴＲＡＮセルであるときにＱｒｘｌｅｖｍｉｎを記憶する。次いで、ＭＳは、ＣＳＧセル（また、ＵＴＲＡＮセルであってもよい）のＳＩＢを復号する。この実施例では、セルがＣＳＧセルであるため、Ｑｒｘｌｅｖｍｉｎは記憶されない。次いで、ＭＳは、再選択のためにＵＴＲＡＮセルを評価する。第１のＵＴＲＡＮセルから得られたＱｒｘｌｅｖｍｉｎ値が記憶され、ＣＳＧセルからのＱｒｘｌｅｖｍｉｎが記憶されなかったため、ＭＳは、この記憶されたＱｒｘｌｅｖｍｉｎ値を評価で使用する。
【０１８８】
図１３は、ＣＳＧセルに関する本開示の別の実施例を図示する。ＭＳは、第１のＣＳＧセル１のＳＩＢを読み出し、ＳＩＢを復号する。次いで、ＭＳは、Ｑｒｘｌｅｖｍｉｎを記憶し、そのデータ記憶の中で、それをパラメータがＣＳＧセルから得られたという指示と関連付ける。ＭＳは、サービングセル、この場合はＧＳＭ（登録商標）セル上にキャンプしたままとなる。次いで、セル２がＣＳＧセルであるため、ＭＳは、記憶されたＱｒｘｌｅｖｍｉｎ値を使用して、再選択のために第２のＣＳＧセル２を評価する。
【０１８９】
図１４は、本開示の別の実施例を図示する。ＭＳは、ＧＳＭ（登録商標）セル上にキャンプしている。ＭＳは、第１のＣＳＧセル１のＳＩＢを読み出し、復号する。次いで、ＭＳは、Ｑｒｘｌｅｖｍｉｎを記憶し、そのデータ記憶の中で、それをセルがＣＳＧセルであるという指示、およびＱｒｘｌｅｖｍｉｎが導出されるセルのＣｅｌｌ＿ＩＤ、ＩＤ１と関連付ける。ＭＳは、ＧＳＭ（登録商標）セル上にキャンプしたままとなる。次いで、セルがＣＳＧセルであり、第２のセルのＣｅｌｌ＿ＩＤ、ＩＤ２がＩＤ１に等しい場合にのみ、ＭＳは、記憶されたＱｒｘｌｅｖｍｉｎを使用して、再選択のために第２のＣＳＧセル２を評価する。好ましくは、セルの周波数およびＣｅｌｌ＿ＩＤは、上記で説明されるように、共同で考慮されてもよく、例えば、パラメータが得られたセルの周波数およびＣｅｌｌ＿ＩＤが、候補セルのものと同じである場合にのみ、記憶されたパラメータを使用して、ＣＳＧセルが評価されてもよい。
【０１９０】
ここで、本開示の実施例の具体的な例示的実装を説明する。マルチＲＡＴシステムでは、ＵＥがＵＴＲＡＮ  ＦＤＤセル上にキャンプしようとする（および／またはセル上にキャンプしている、および／またはＵＴＲＡＮ  ＦＤＤセルのＳＩＢを読み出す任意の他の理由がある）時はいつでも、ＳＩＢからＲＳＣＰ基準パラメータを復号し、将来の使用のためにそれを記憶する。ＵＥは、他のパラメータに加えて、セルの周波数を記憶してもよい。ＵＥが２Ｇに進むときに、ＵＥは、最後の情報が記憶された周波数上で構成される全てのＵＴＲＡＮ  ＦＤＤセルに向かう２Ｇから３Ｇヘのセル再選択に、記憶された好適性基準パラメータを適用し始めることができる。
【０１９１】
現在、ＲＳＣＰ基準のみが記憶され、システムにおいて使用されるが、この変更により、ＵＥは、ＲＳＣＰ基準と関連付けられる周波数を記憶する必要がある。ＵＥは、周波数および関連ＲＳＣＰ基準パラメータのリストを維持する必要があってもよい。ＵＥが、記憶された好適性パラメータを有する周波数上で動作する別のＵＴＲＡＮ  ＦＤＤセルのＳＩＢを後に読み出す場合には、記憶された値を、ちょうど読み出したＳＩＢからの値と置換してもよい。リストは、ＰＬＭＮ選択後に消去される（３ＧＰＰ  ＴＳ  ２３．１２２参照）。
【０１９２】
本開示は、デバイスがある構成で２Ｇに閉じ込められる可能性を低減し、好適性基準を構成する際に向上した融通性をオペレータに提供し（これらが同じ周波数の他のセルにしか使用されないので）、ある周波数が高い好適性閾値によって「制限されている」場合において、ＰＬＭＮの非「制限」周波数への２Ｇから３Ｇヘのセル再選択を可能にする。
【０１９３】
セルＢがサービングセルであり、セルＡが、パラメータが以前に復号されたセルであり、セルＣが現在の候補セルである、上記で説明されたセルＡ、Ｂ、およびＣのシナリオを考慮すると、セルＡと関連付けられるパラメータは、
ＰＬＭＮ  ＩＤ（ＰＬＭＮ＿Ａと呼ばれる）、
周波数［Ｆ＿Ａ］、
物理層アドレス（ＰＣＩ／ＰＳＣ）［Ｐ＿Ａ］、または
ＣＳＧセルであるか否か［ｉｓＣＳＧ＿Ａ］
であってもよい。
これらのパラメータは全て、セルＡのシステム情報（ＳＩＢ）を復号することによって決定されてもよい。システム情報は、一般的であり、本開示の全体を通して参照されるＳＩＢ以外のブロックから導出されてもよい。これらの実施例でのＰＬＭＮ規則は、例示的にすぎず、本開示に必要ではない。それらは、付加的な独立制約である。
【０１９４】
この例示的シナリオではサービングセルである、セルＢと関連付けられるパラメータは、
ＰＬＭＮ  ＩＤ［ＰＬＭＮ＿Ｂ］、または
［セルＢがセルＡ、Ｃと同じＲＡＴものである場合にのみ関連する、周波数、物理層アドレス（ＰＣＩ／ＰＳＣ）］
であってもよい。
【０１９５】
セルＣと関連付けられるパラメータは、
周波数［Ｆ＿Ｃ］、
物理層アドレス（ＰＣＩ／ＰＳＣ）［Ｐ＿Ｃ］、
ＣＳＧセルであるか否か［ｉｓＣＳＧ＿Ｃ］、これは、Ｆ＿Ｃに基づいて、またはＰ＿ＣおよびＣＳＧセルに確保されている物理層アドレスの範囲の知識に基づいてのみ決定可能であってもよい、または、
［無線信号品質／強度の初期評価が実行されるときに分からない場合があるＰＬＭＮ＿Ｃ］
であってもよい。
【０１９６】
一般的には、従来の仕様は、ＰＬＭＮ＿Ａ＝ＰＬＭＮ＿Ｂ、またはＰＬＭＮ＿ＡおよびＰＬＭＮ＿Ｂが同等である場合に、セルＣを評価するためにセルＡからのパラメータを使用することができると特定する。
【０１９７】
本開示の実施例のうちの１つは、
ｉ）ＰＬＭＮ＿Ａ＝ＰＬＭＮ＿Ｂ、またはＰＬＭＮ＿ＡおよびＰＬＭＮ＿Ｂが同等である、ならびに
ｉｉ）Ｆ＿Ａ＝Ｆ＿Ｃである
場合に、セルＣを評価するためにセルＡからのパラメータを使用することができるように、この規則を修正することである。
【０１９８】
ＣＳＧセルを考慮して図８に図示される別の実施例を考慮すると、これは、
ｉ）ＰＬＭＮ＿Ａ＝ＰＬＭＮ＿Ｂ、またはＰＬＭＮ＿ＡおよびＰＬＭＮ＿Ｂが同等である、ならびに
ｉｉ）Ｆ＿Ａ＝Ｆ＿Ｃ、ならびに
ｉｉｉ）セルＡもセルＣもＣＳＧセルではない（すなわち、ｉｓＣＳＧ＿Ａ＝ＦａｌｓｅおよびｉｓＣＳＧ＿Ｃ＝Ｆａｌｓｅ）
場合に、セルＣを評価するためにセルＡからのパラメータを使用することができると表すことができる。
【０１９９】
ＣＳＧセルに関するさらなる実施例（事実上、セルＡおよびＣが両方ともＣＳＧセルでなければならないと述べる）は、
ｉ）ＰＬＭＮ＿Ａ＝ＰＬＭＮ＿Ｂであるか、またはＰＬＭＮ＿ＡおよびＰＬＭＮ＿Ｂが等価である、および
ｉｉ）Ｆ＿Ａ＝Ｆ＿Ｃ、および
ｉｉｉ）セルＡおよびセルＣの両方がＣＳＧセルである（すなわち、ｉｓＣＳＧ＿Ａ＝ＴｒｕｅおよびｉｓＣＳＧ＿Ｃ＝Ｔｒｕｅ）
場合に、セルＣを評価するためにセルＡからのパラメータを使用することができると表すことができる。
【０２００】
ＣＳＧセルに関するさらなる実施例（事実上、セルＡおよびＣが高い確率で同じセルでなければならないと述べる）は、以下の
ｉｖ）Ｐ＿Ａ＝Ｐ＿Ｃ
に加えて、上記の条件として表すことができる。
【０２０１】
上記の場合の各々、または任意の組み合わせにおいて、以下の規則
ｉ）ＰＬＭＮ＿Ａ＝ＰＬＭＮ＿Ｂ
を修正することによって、異なる（しかし同等の）ＰＬＭＮが異なる再選択基準を有する場合に対処するように、上記の規則へのさらなる修正を考慮することができる。
【０２０２】
本開示のさらなる実施例では、以前に記憶された好適性要件（ランキングベースの再選択の結果として得られていてもよい）は、優先順位ベースの再選択規則に従ってセルを評価するときに使用されるべきではない。優先順位ベースの再選択アルゴリズムでは、上記で説明されるように、閾値パラメータがサービングセル内でブロードキャストされてもよい。本実施例では、記憶された好適性パラメータの使用への制限は、対応する（信号品質／信号強度）パラメータが現在のサービングセル内で利用可能である、例えば、セルによってブロードキャストされるか否かに依存していてもよい。常にこうであるとは限らない。
【０２０３】
図９は、この特定の実施例を図示する。プロセスは、随意で、ＭＳが３Ｇセルに再選択しようとすると開始してもよい。ＭＳは、３Ｇセルからシステム情報ブロック（ＳＩＢ）を受信し（ステップ９０４）、次いで、受信信号コード電力（ＲＳＣＰ）基準パラメータを復号して記憶する（ステップ９０６）。次いで、ＭＳは、既知の方式で、優先順位ベースの再選択規則を使用して候補３Ｇセルを評価してもよい（ステップ９０８）。
【０２０４】
従来、次いで、ＭＳは、記憶されたＲＳＣＰ基準に対して候補セルを評価し（ステップ９１２）、セルが記憶されたＲＳＣＰパラメータに基づく基準を満たさない場合（ステップ９１４）、プロセスが停止し、ＭＳがセルに再選択しない（ステップ９１６）。候補セルが基準を満たす場合（ステップ９１４）には、セルは、４５．００８仕様の第６．６．６節で記述されるように、優先順位ベースの再選択基準を満たすか否かを確認するように評価される。
【０２０５】
しかしながら、本開示によれば、９１０で印付けられた領域で覆われたステップは実行されない。本開示によれば、優先順位ベースの再選択基準では、候補セルは、記憶された閾値基準を使用して評価されない。これらの基準は、ランキングベースのアルゴリズムの一部として、および別のセルまたは同じセルからシステム情報を復号することによって得られていてもよい。
【０２０６】
本実施例では、ＭＳが、優先順位ベースの再選択規則を使用して候補セルを評価した場合（ステップ９０８）には、任意の記憶されたパラメータにかかわらず、またはそれらに関係なく、候補セルが優先順位ベースの再選択基準を満たすか否かを決定する（ステップ９１８）。セルが基準を満たさない場合、評価が終了し、ＭＳがセルに再選択しない（ステップ９１６）。候補セルが、優先順位ベースの再選択規則に従った再選択基準を満たす場合、ＭＳはセルへの再選択を行う（ステップ９２０）。
【０２０７】
このようにして、優先順位ベースの再選択アルゴリズムは、ランキングベースの再選択中に記憶された場合がある不正確なパラメータによって妨げられない。パラメータがサービングセルによってブロードキャストされる場合、それらは、優先順位ベースの再選択で使用される一次基準のままとなる。パラメータがブロードキャストされない場合には、ＭＳは、信用できない場合がある、記憶されたパラメータを使用することなく、再選択のためにセルの適切性を決定するであろう。
【０２０８】
図１５は、第１のＧＳＭ（登録商標）セル１上にキャンプしている間に、ＵＴＲＡＮセルのシステム情報ブロッック（ＳＩＢ）を最初に読み出す、ＭＳを図示する。ＧＳＭ（登録商標）セル１では、ランキングアルゴリズムのみが、ＵＴＲＡＮセルへの再選択に使用される。Ｑｒｘｌｅｖｍｉｎパラメータが、ＭＳ上に記憶される。ＭＳは、ＧＳＭ（登録商標）セル１から第２のＧＳＭ（登録商標）セル２への再選択を行ってもよい。ＧＳＭ（登録商標）セル２は、優先順位ベースの再選択をサポートする。ＧＳＭ（登録商標）セル２から、ＭＳは、優先順位ベースの再選択を使用してＵＴＲＡＮセルを評価してもよい。優先順位ベースの評価を行うときに、ＭＳは、ランキングアルゴリズム中にＵＴＲＡＮセルから得られた、記憶された基準を使用しない。示されていないが、評価が成功した場合、ＭＳはＵＴＲＡＮセルに再選択する。
【０２０９】
ここで、上記の開示の原則を実装するために使用されてもよい例示的なアルゴリズムを説明する。この実施例が構築されるアルゴリズムの言語は、改変または明瞭かされてもよいが、元のアルゴリズムと比較したときに挿入および改変されているテキストによって例示される原理は、改正されたアルゴリズムにも同等に適用可能である。
【０２１０】
これは、セルランキングに基づく、ＧＳＭ（登録商標）からＵＭＴＳへのセル再選択のためのアルゴリズムである。この項でのアルゴリズムは、優先順位情報に基づくセル再選択アルゴリズムの使用のための条件が満たされない場合に、ＧＳＭ（登録商標）からＵＭＴＳへのセル再選択に使用されるべきである。
【０２１１】
３Ｇセル再選択リストがＵＴＲＡＮ周波数を含む場合、ＭＳは、少なくとも５秒ごとに、サービングセルの値ＲＬＡ＿Ｃ、および少なくとも６つの最強非サービングＧＳＭ（登録商標）セルの各々を更新するであろう。
【０２１２】
次いで、ＭＳは、以下の場合に、好適な（ＴＳ  ２５．３０４参照）ＵＴＲＡＮセルを再選択するであろう：
−ＴＤＤセルについて、測定されたＲＳＣＰ値が５秒の期間にわたってＴＤＤ＿Ｑｏｆｆｓｅｔ以上である場合、
−ＦＤＤセルについて、以下の基準が５秒の期間にわたって全て満たされる場合であって、
１．その測定されたＲＳＣＰ値が、サービングセルのＲＬＡ＿Ｃの値および好適な（３ＧＰＰ  ＴＳ  ０３．２２参照）非サービングＧＳＭ（登録商標）セルの全てを値ＦＤＤ＿Ｑｏｆｆｓｅｔだけ超えるとき、
２．その測定されたＥｃ／Ｎｏ値が、値ＦＤＤ＿Ｑｍｉｎ−ＦＤＤ＿Ｑｍｉｎ＿Ｏｆｆｓｅｔ以上であるとき、
３．その測定されたＲＳＣＰ値が、ＦＤＤ＿ＲＳＣＰ＿ｔｈｒｅｓｈｏｌｄ以上であるとき。
【０２１３】
以前の１５秒以内にセル再選択が発生した場合、ＦＤＤ＿ＱｏｆｆｓｅｔまたはＴＤＤ＿Ｑｏｆｆｓｅｔは、５ｄＢだけ増加させられる
−Ｅｃ／ＮｏおよびＲＳＣＰが測定された数量である（第８．１．５項参照）
−ＦＤＤ＿ＲＳＣＰ＿ｔｈｒｅｓｈｏｌｄは、ＦＤＤ＿ＲＳＣＰｍｉｎがサービングセル上でブロードキャストされる場合に、ＦＤＤ＿ＲＳＣＰｍｉｎ−ｍｉｎ（（Ｐ＿ＭＡＸ−２１ｄＢｍ），３ｄＢ）に等しく、それ以外の場合、これらのパラメータが利用可能であれば、Ｑｒｘｌｅｖｍｉｎ＋Ｐｃｏｍｐｅｎｓａｔｉｏｎ＋１０ｄＢに等しく、そうでなければ、ＦＤＤ＿ＲＳＣＰｍｉｎのデフォルト値である
−ＱｒｘｌｅｖｍｉｎはＵＴＲＡＮ  ＦＤＤセル内の最小限必要なＲＸレベル（ｄＢｍ）である（３ＧＰＰ  ＴＳ  ２５．３０４参照）
−Ｐｃｏｍｐｅｎｓａｔｉｏｎはｍａｘ（ＵＥ＿ＴＸＰＷＲ＿ＭＡＸ＿ＲＡＣＨ−Ｐ＿ＭＡＸ，０）（ｄＢ）である（３ＧＰＰ  ＴＳ  ２５．３０４参照）
−ＵＥ＿ＴＸＰＷＲ＿ＭＡＸ＿ＲＡＣＨはＲＡＣＨ上のＵＴＲＡＮ  ＦＤＤセルにアクセスするときに、ＭＳが使用してもよい最大ＴＸ電力レベル（ｄＢｍ）である（３ＧＰＰ  ＴＳ  ２５．３０４参照）
−Ｐ＿ＭＡＸはＵＴＲＡＮ  ＦＤＤモードでのＭＳの最大ＲＦ出力電力（ｄＢｍ）である（３ＧＰＰ  ＴＳ  ２５．３０４参照）
−ＦＤＤ＿Ｑｍｉｎ、ＦＤＤ＿Ｑｏｆｆｓｅｔ、ならびに随意でＦＤＤ＿ＲＳＣＰｍｉｎおよびＦＤＤ＿Ｑｍｉｎ＿ＯｆｆｓｅｔはサービングセルのＢＣＣＨ上でブロードキャストされる
−ＴＤＤ＿ＱｏｆｆｓｅｔはサービングセルのＢＣＣＨ上でブロードキャストされる。
【０２１４】
注記１：ＵＴＲＡＮセルが好適であるか否かを決定するために必要とされるパラメータは、ＵＴＲＡＮセルのＢＣＣＨ上でブロードキャストされる。ＭＳは、ＵＴＲＡＮセルのＢＣＣＨを復号する前に、ＵＴＲＡＮセルに向かう再選択を開始してもよく、ＵＴＲＡＮセルが好適ではない場合にサービスの短い中断につながる。
【０２１５】
注記２：ＦＤＤ＿ＲＳＣＰｍｉｎがブロードキャストされる場合、最適なＧＳＭ（登録商標）からＵＴＲＡＮへの再選択性能は、ＵＴＲＡＮ受信可能範囲境界領域におけるＵＴＲＡＮセルが＋２４ｄＢｍ  ＵＥ電力に対して計画された場合に達成される。
【０２１６】
注記３：パラメータＴＤＤ＿Ｑｏｆｆｓｅｔは、標的ＵＴＲＡＮ  ＴＤＤセルに向かう再選択の絶対閾値である。
【０２１７】
セルがＣＳＧセルである／「記憶しない」を示す／｛「ローミング用の禁止ＬＡのリスト」の一部である｝または禁じられているため不適切である／または［同じ周波数上のセルに対して現在記憶されているものよりも大きい］ＦＤＤ＿ＲＳＣＰ＿ｔｈｒｅｓｈｏｌｄをもたらす／［ＸＸ］ｄＢよりも大きい場合を除いて、ＭＳは、ＵＴＲＡＮ  ＦＤＤセル上にキャンプしようとしている間に、同等のＰＬＭＮのＵＴＲＡＮ  ＦＤＤセルから復号された時はいつでも、上記のＵＴＲＡＮセルＲＳＣＰ好適性基準パラメータを記憶するであろう。同等のＰＬＭＮのＵＴＲＡＮ  ＦＤＤセルからのごく最近記憶されたパラメータは、ＣＳＧセルおよび優先順位ベースの再選択アルゴリズムに従って評価されるセルを除いて、全てのＵＴＲＡＮ  ＦＤＤセルに向かう有効な再選択基準である（それぞれ、第６．６．７項および第６．６．６項を参照）。［５］分以上前に受信された記憶された値は、消去されるべきである。このパラメータのリストは、ＰＬＭＮ選択後に消去されるべきである（３ＧＰＰ  ＴＳ  ２３．１２２参照）。
【０２１８】
ここでの「／」は、本開示の異なる側面を区別するために使用されるが、組み合わせ可能となり得ることに留意されたい。
【０２１９】
ＵＴＲＡＮへのセル再選択は、好適なＧＳＭ（登録商標）セルを見出すことができる場合、ＭＳがＵＴＲＡＮセルからＧＳＭ（登録商標）セルを再選択した後の５秒以内に起こるべきではない。
【０２２０】
禁じられたＵＴＲＡＮセルに向かう再選択試行の場合、ＭＳは、禁じられたＵＴＲＡＮセル上のＴｂａｒｒｅｄ値によって定義されるように、このＵＴＲＡＮセルに向かうさらなる再選択試行を放棄するであろう（３ＧＰＰ  ＴＳ  ２５．３３１参照）。
【０２２１】
最高ランクのＵＴＲＡＮセルが、「ローミング用の禁止ＬＡのリスト」の一部であるか、または登録されたＰＬＭＮと同等であるものとして示されていないＰＬＭＮに属することにより好適ではない（３ＧＰＰ  ＴＳ  ２５．３０４参照）場合、ＭＳは、最大２０分の期間にわたって、このＵＴＲＡＮセルおよび同じ周波数上の全ての他のセルに向かうさらなる再選択試行を放棄してもよい。ＭＳがセル選択を行わなければならない場合、この制限は除去されるべきである。ＭＳが、ＧＥＲＡＮの制御下で、タイマーが作動している周波数にリダイレクトされた場合、その周波数への任意の制限が除去されるべきである。
【０２２２】
１つよりも多いＵＴＲＡＮセルが上記の基準を満たす場合、ＭＳは、最大ＲＳＣＰ値を有するセルを選択するであろう。
【０２２３】
上記の開示の原則を実装するために使用されてもよいさらなる例示的なアルゴリズムをここで説明する。この実施例が構築されるアルゴリズムの言語は、改変または解明されてもよいが、元のアルゴリズムと比較したときに挿入および改変されているテキストによって例示される原理は、改正されたアルゴリズムにも同等に適用可能である。
【０２２４】
これは、優先順位情報に基づく、ＲＡＴ間セル再選択のためのアルゴリズムである。この項でのアルゴリズムは、ＭＳに利用可能な優先順位および閾値がネットワークによって提供される場合、および移動局が優先順位ベースのＲＡＴ間セル再選択をサポートし、サービングセルに対する優先順位情報がネットワークによって提供される場合に、ＲＡＴ間セル再選択に使用されるべきである。Ｅ−ＵＴＲＡＮをサポートする移動局は、全てのサポートされたＲＡＴに向かう優先順位ベースのＲＡＴ間セル再選択をサポートするであろう。Ｅ−ＵＴＲＡＮをサポートせず、ＵＴＲＡＮをサポートし、ＵＴＲＡＮからＧＥＲＡＮへの優先順位ベースの再選択をサポートする移動局は、ＵＴＲＡＮに向かう優先順位ベースのＲＡＴ間セル再選択をサポートするであろう。
【０２２５】
ネットワークは、Ｅ−ＵＴＲＡＮ周波数が隣接セルリストに含まれる場合に、優先順位情報を提供するべきであり、ネットワークは、ＵＴＲＡＮ周波数のみが隣接セルリストに含まれる場合に、優先順位情報を提供するであろう。優先順位情報が移動局に利用可能であり、移動局が優先順位ベースのＲＡＴ間セル再選択をサポートする場合、この項でのアルゴリズムは、全てのＲＡＴに向かうＲＡＴ間セル再選択に使用されるべきである。どの一式の優先順位が所与のときに有効であるかに関する規則は、３ＧＰＰ  ＴＳ  ４４．０１８で定義されている。
【０２２６】
注記１：「優先順位情報」は、各ＵＴＲＡＮまたはＥ−ＵＴＲＡＮ周波数に関係する優先順位および閾値（例えば、ＵＴＲＡＮ＿ＰＲＩＯＲＩＴＹ、Ｅ−ＵＴＲＡＮ＿ＰＲＩＯＲＩＴＹ、ＴＨＲＥＳＨ＿ＵＴＲＡＮ＿ｈｉｇｈ、ＴＨＲＥＳＨ＿Ｅ−ＵＴＲＡＮ＿ｈｉｇｈ）ならびにサービングセルに関係する情報（例えば、ＧＥＲＡＮ＿ＰＲＩＯＲＩＴＹ、ＴＨＲＥＳＨ＿ＧＳＭ（登録商標）＿ｌｏｗ）を含む。
【０２２７】
注記２：仕様の全体を通して、「隣接セルリスト」という語句はまた、適切な場合にＥ−ＵＴＲＡＮ隣接セルリストも含む。
【０２２８】
注記３：優先順位は、優先順位ベースのセル再選択をサポートしないネットワークの周波数に対しても提供される必要がある。
【０２２９】
３Ｇセル再選択リストまたはＥ−ＵＴＲＡＮ隣接セルリストが、他の無線アクセス技術の周波数を含む場合、ＭＳは、少なくとも５秒ごとに、サービングセルの値ＲＬＡ＿Ｃ、および少なくとも６つの最強非サービングＧＳＭ（登録商標）セルのそれぞれを更新するであろう。
【０２３０】
次いで、ＭＳは、以下の基準が満たされる場合に、別の無線アクセス技術の好適な（ＵＴＲＡＮについては３ＧＰＰ  ＴＳ  ２５．３０４およびＥ−ＵＴＲＡＮについては３ＧＰＰ  ＴＳ  ３６．３０４を参照）セルを再選択するであろう。Ｓ＿ｎｏｎ−ｓｅｒｖｉｎｇ＿ＸＸＸは、非サービングＲＡＴ間セルの測定数量であり、ＸＸＸは、他の無線アクセス技術／モードを示し、以下のように定義される：
−ＵＴＲＡＮセルについては、セルの周波数のＵＴＲＡＮ＿ＱＲＸＬＥＶＭＩＮを引いたセルの測定されたＲＳＣＰ値である
−Ｅ−ＵＴＲＡＮセルについては、ＴＨＲＥＳＨ＿Ｅ−ＵＴＲＡＮ＿ｈｉｇｈ＿Ｑが提供されない場合、セルの周波数のＥ−ＵＴＲＡＮ＿ＱＲＸＬＥＶＭＩＮを引いたセルの測定されたＲＳＲＰ値であり、そうでなければ、ＴＨＲＥＳＨ＿Ｅ−ＵＴＲＡＮ＿ｈｉｇｈ＿Ｑが提供された場合、セルの周波数のＥ−ＵＴＲＡＮ＿ＱＱＵＡＬＭＩＮを引いたセルの測定されたＲＳＲＱ値である。
【０２３１】
記憶された好適性要件（例えば、第６．６．５項で特定されるような記憶されたＲＳＣＰ好適性要件）は、この項での基準に従ってセルを評価するときにＵＴＲＡＮセルに使用されるべきではない。
【０２３２】
ＧＳＭ（登録商標）セルについては、Ｓ＿ＧＳＭ（登録商標）は、セルのＣ１値として定義される（第６．４項参照）。
【０２３３】
別のＲＡＴ間周波数のセルへのセル再選択は、（示される順序で評価される）以下の条件のうちのいずれかが満たされる場合に行われるべきである：
−より高い優先順位のＲＡＴ間周波数の１つ以上のセルのＳ＿ｎｏｎ−ｓｅｒｖｉｎｇ＿ＸＸＸが、時間間隔Ｔ＿ｒｅ−ｓｅｌｅｃｔｉｏｎの間にＴＨＲＥＳＨ＿ＸＸＸ＿ｈｉｇｈ（またはＥ−ＵＴＲＡＮ標的の場合、提供されるならばＴＨＲＥＳＨ＿Ｅ−ＵＴＲＡＮ＿ｈｉｇｈ＿Ｑ）よりも大きい。その場合、移動局は、優先順位の高いものから順に再選択するためにセルを考慮し、およびＳ＿ｎｏｎ−ｓｅｒｖｉｎｇ＿ＸＸＸの高いものから順に、同じＲＡＴ間周波数または同等優先順位のＲＡＴ間周波数のセルを考慮し、上記の条件を満たす第１のセルを再選択するであろう
−Ｓ＿ＧＳＭ（登録商標）の値が、時間間隔Ｔ＿ｒｅ−ｓｅｌｅｃｔｉｏｎの間にサービングセルおよび全ての測定されたＧＳＭ（登録商標）セルに対するＴＨＲＥＳＨ＿ＧＳＭ（登録商標）＿ｌｏｗよりも低い。この場合、移動局は、以下の順序でＲＡＴ間セルを再選択のために考慮し、以下の基準を満たす第１のセルを再選択するであろう
−Ｓ＿ｎｏｎ−ｓｅｒｖｉｎｇ＿ＸＸＸが時間間隔Ｔ＿ｒｅ−ｓｅｌｅｃｔｉｏｎの間にＴＨＲＥＳＨ＿ＸＸＸ＿ｌｏｗ（またはＥ−ＵＴＲＡＮ標的の場合、提供されるならばＴＨＲＥＳＨ＿Ｅ  ＵＴＲＡＮ＿ｌｏｗ＿Ｑ）よりも大きい、より低い優先順位のＲＡＴ間周波数のセル。これらのセルは、優先順位の高いものから順に考慮され、同じＲＡＴのセルについては、Ｓ＿ｎｏｎ−ｓｅｒｖｉｎｇ＿ＸＸＸの高いものから順に考慮されるべきである
−いずれのセルも上記の基準を満たさない場合、時間間隔Ｔ＿ｒｅ−ｓｅｌｅｃｔｉｏｎの間に、Ｓ＿ｎｏｎ−ｓｅｒｖｉｎｇ＿ＸＸＸが少なくとも特定のヒステリシスＨ＿ＰＲＩＯだけサービングセルのＳ＿ＧＳＭ（登録商標）よりも高い、ＲＡＴ間セル。これらのセルは、Ｓ＿ｎｏｎ−ｓｅｒｖｉｎｇ＿ＸＸＸの高いものから順に考慮されるべきである。
【０２３４】
ＵＴＲＡＮ  ＦＤＤセルは、上記の基準に加えて、その測定されたＥｃ／Ｎｏ値がＦＤＤ＿Ｑｍｉｎ−ＦＤＤ＿Ｑｍｉｎ＿Ｏｆｆｓｅｔ以上である場合にのみ再選択されるべきである。
【０２３５】
Ｅ−ＵＴＲＡＮ＿ＱｍｉｎがＥ−ＵＴＲＡＮ周波数に対して提供される場合、その周波数上のＥ−ＵＴＲＡＮセルは、上記の基準に加えて、その測定されたＲＳＲＱ値がＥ−ＵＴＲＡＮ＿Ｑｍｉｎ以上である場合にのみ再選択されるべきである。移動局は、同じＰＬＭＮ上で、または［再選択を試行した］［例えば、システム情報の中で、そのセルに対する好適性要件が記憶されるべきではないという指示をそのセルから受信しない限り］［またはセルがＣＳＧセルであった］［または好適ではなかった］サービングセルと同等のＰＬＭＮ上で、Ｅ−ＵＴＲＡＮセルから｛全ての／ＲＳＲＱ関連｝好適性要件を記憶するであろう。Ｅ−ＵＴＲＡＮセルを評価するときに、Ｅ−ＵＴＲＡＮ＿Ｑｍｉｎがサービングセルによって提供されない場合、同じ周波数／同じ優先順位の周波数上の［ＣＳＧセルから得られたもの以外の］Ｅ−ＵＴＲＡＮセルから受信された、ごく最近記憶されたＲＳＲＱ関連好適性要件が使用されるべきである。
【０２３６】
ＴＨＲＥＳＨ＿Ｅ−ＵＴＲＡＮ＿ｈｉｇｈ＿ＱがＥ−ＵＴＲＡＮ周波数に対して提供される場合、およびＥ−ＵＴＲＡＮ＿ＲＳＲＰｍｉｎが提供される場合、その周波数上のＥ−ＵＴＲＡＮセルは、上記の基準に加えて、その測定されたＲＳＲＰ値がＥ−ＵＴＲＡＮ＿ＲＳＲＰｍｉｎ以上である場合にのみ再選択されるべきである。Ｅ−ＵＴＲＡＮ＿ＲＳＲＰｍｉｎが提供されない場合、デフォルト値が使用されるべきである。
【０２３７】
禁止セルのリストに含まれるＥ−ＵＴＲＡＮセルは、セル再選択のための候補として見なされるべきではない。Ｅ−ＵＴＲＡＮ周波数上の最強セルが、禁止セルのリストに含まれる場合、移動局は、その周波数上の最強有効セル（第８．４．７項参照）を再選択するであろう。
【０２３８】
別の無線アクセス技術（例えば、ＵＴＲＡＮまたはＥ−ＵＴＲＡＮ）のセルへのセル再選択は、好適なＧＳＭ（登録商標）セルを見出すことができる場合、ＭＳがＲＡＴ間セルからＧＳＭ（登録商標）セルを再選択した後の５秒以内に起こるべきではない。
【０２３９】
移動局が、専用信号を介して受信された共通優先順位または個別優先順位のいずれか一方を適用し、優先順位が、あるＲＡＴ間周波数のみに利用可能である場合、優先順位が利用可能ではない、または閾値がサービングセルによって提供されない周波数に属するセルは、測定のため、およびセル再選択のために考慮されるべきではない。
【０２４０】
「正常にキャンプしている」状態（３ＧＰＰ  ＴＳ  ４３．０２２参照）にある移動局が、専用信号を介して受信された個別優先順位を適用し、優先順位がサービングセルに利用可能ではない場合、移動局は、任意のＧＳＭ（登録商標）セル（サービングセルを含む）が最低優先順位（すなわち、８つのネットワーク構成値よりも低い）を有すると見なすべきである。
【０２４１】
任意のセル上にキャンプしている状態（３ＧＰＰ  ＴＳ  ４３．０２２参照）にある移動局は、専用信号を介して受信された個別優先順位を無視するべきであり、好適なセルを見出そうとしながら、サービングセルのシステム情報から受信される優先順位を適用するであろう。移動局がＣＳ音声サービスをサポートする場合、ＭＳは、システム情報の中で提供される優先順位にかかわらず、（好適ではないが）容認可能なＥ−ＵＴＲＡセルを再選択することを回避するであろう。
【０２４２】
注記４：ＭＳが容認可能なセル上にキャンプしている場合、それらの削除につながる事象が起こるまで、個別優先順位は破棄されない。
【０２４３】
禁じられたＵＴＲＡＮセルに向かう再選択試行の場合、ＭＳは、禁じられたＵＴＲＡＮセル上のＴｂａｒｒｅｄ値によって定義されるように、このＵＴＲＡＮセルに向かうさらなる再選択試行を放棄するであろう（３ＧＰＰ  ＴＳ  ２５．３３１参照）。
【０２４４】
禁じられたＥ−ＵＴＲＡＮセルに向かう再選択試行の場合、ＭＳは、最大２０分にわたって、このＥ−ＵＴＲＡＮセルに向かうさらなる再選択試行を放棄するであろう。
【０２４５】
ＭＳが、「ローミング用の禁止ＬＡのリスト」の一部である、または登録されたＰＬＭＮと同等であるものとして示されていないＰＬＭＮに属することにより好適ではない（３ＧＰＰ  ＴＳ  ２５．３０４参照）、ＵＴＲＡＮセルへの再選択を試行する場合、ＭＳは、最大２０分の期間にわたって、このＵＴＲＡＮセルおよび同じ周波数上の全ての他のセルに向かうさらなる再選択試行を放棄してもよい。ＭＳがセル選択を行わなければならない場合、この制限は除去されるべきである。ＭＳが、ＧＥＲＡＮの制御下で、タイマーが作動している周波数にリダイレクトされた場合、その周波数への任意の制限が除去されるべきである。
【０２４６】
ＭＳが、「ローミング用の禁止追跡領域のリスト」の一部である（３ＧＰＰ  ＴＳ  ２４．３０１参照）ことにより好適ではない（３ＧＰＰ  ＴＳ  ２５．３０４参照）、Ｅ−ＵＴＲＡＮセルへの再選択を試行する場合、およびＭＳがセルの周波数に対するＰＣＩＤからＴＡへのマッピング情報要素（３ＧＰＰ  ＴＳ  ４４．０１８および３ＧＰＰ  ＴＳ  ４４．０６０参照）を受信した場合、ＰＣＩＤからＴＡへのマッピング情報がサービングセルの中で変化するまで、またはセル再選択が起こるまで、このＥ−ＵＴＲＡＮセルおよび同じ追跡領域に属することが分かっている任意のＥ−ＵＴＲＡＮセルに向かうさらなる再選択試行を放棄するであろう。移動局が、セルの周波数に対するＰＣＩＤからＴＡへのマッピング情報要素を受信していない場合、ＭＳは、最大２０分の期間にわたって、このＥ−ＵＴＲＡＮセルおよび同じ周波数上の全ての他のセルに向かうさらなる再選択試行を放棄してもよい。ＭＳがセル選択を行わなければならない場合、この制限は除去されるべきである。ＭＳが、ＧＥＲＡＮの制御下で、タイマーが作動している周波数にリダイレクトされた場合、その周波数への任意の制限が除去されるべきである。
【０２４７】
ＭＳが、登録されたＰＬＭＮと同等であるものとして示されていないＰＬＭＮに属することにより好適ではない（３ＧＰＰ  ＴＳ  ２５．３０４参照）、Ｅ−ＵＴＲＡＮセルへの再選択を試行する場合、ＭＳは、最大２０分の期間にわたって、このＥ−ＵＴＲＡＮセルおよび同じ周波数上の全ての他のセルに向かうさらなる再選択試行を放棄してもよい。ＭＳがセル選択を行わなければならない場合、この制限は除去されるべきである。ＭＳが、ＧＥＲＡＮの制御下で、タイマーが作動している周波数にリダイレクトされた場合、その周波数への任意の制限が除去されるべきである。
【０２４８】
ここで、上記の開示の原則を実装するために使用されてもよい、さらなる例示的なアルゴリズムを説明する。この実施例が構築されるアルゴリズムの言語は、改変または解明されてもよいが、元のアルゴリズムと比較したときに挿入および改変されているテキストによって例示される原則は、改正されたアルゴリズムにも同等に適用可能である。
【０２４９】
これは、ＣＳＧセルおよびハイブリッドセルへのセル選択および再選択のためのアルゴリズムである。第１に、ＣＳＧセルへのセル再選択については、移動局が少なくとも１つの閉鎖加入者グループのメンバーである、すなわち、少なくとも１つのＣＳＧ  ＩＤがＭＳのＣＳＧホワイトリストに含まれる場合には、通常のセル再選択に加えて、ＭＳは、ＵＴＲＡＮおよび／またはＥ−ＵＴＲＡＮ  ＣＳＧセルを検出するために、自律検索機能を使用するであろう。自律検索機能は、少なくとも、性能要件に従って、以前に訪問した許可ＣＳＧセルを検出するであろう。
【０２５０】
注記１：自律検索機能は、実装依存性であり、何時および／またはどこにおいて許可ＣＳＧセルを検索するかを制御する。
【０２５１】
注記１ａ：（空欄）。
【０２５２】
注記２：（空欄）。
【０２５３】
注記３：（空欄）。
【０２５４】
時間間隔Ｔ＿ｒｅ−ｓｅｌｅｃｔｉｏｎの間に、ＭＳがＵＴＲＡＮまたはＥ−ＵＴＲＡＮ周波数上で検出した最強セル（最強セルの定義については３ＧＰＰ  ＴＳ  ２５．３０４および３ＧＰＰ  ＴＳ  ３６．３０４を参照）が、好適なＣＳＧセル（それぞれ、ＵＴＲＡＮおよびＥ−ＵＴＲＡＮ  ＣＳＧセルに対する好適性基準については３ＧＰＰ  ＴＳ  ２５．３０４および３ＧＰＰ  ＴＳ  ３６．３０４を参照）である場合、ＭＳが現在キャンプしているセルに適用可能なセル再選択規則にかかわらず、このセルに再選択するであろう。
【０２５５】
ＭＳは、ＭＳがＣＳＧホワイトリストを持たない、またはＭＳのＣＳＧホワイトリストが空である場合に、ＣＳＧセルに対する自律検索機能を無効にするであろう。
【０２５６】
ＭＳがＣＳＧホワイトリストを持たない、または空のＣＳＧホワイトリストを有し、ＭＳが記憶された「ＣＳＧ  ＰＳＣ分割情報」または「ＣＳＧ  ＰＣＩ分割情報」を有するときに、ＭＳは、測定およびセル再選択のために、ＣＳＧセルであることが分かっているセルを無視するであろう。すなわち、以下のセルである：
−その周波数に対する記憶された範囲「ＣＳＧ  ＰＳＣ分割情報」の中のＰＳＣを伴うＵＴＲＡＮ周波数上のセル（３ＧＰＰ  ＴＳ  ２５．３３１参照）
−その周波数に対する記憶された範囲「ＣＳＧ  ＰＣＩ分割情報」の中のＰＣＩを伴うＥ−ＵＴＲＡＮ周波数上のセル（３ＧＰＰ  ＴＳ  ３６．３３１参照）。
【０２５７】
加えて、ＭＳがＣＳＧホワイトリストを持たない、または空のＣＳＧホワイトリストを有するときに、ＭＳは、測定およびセル再選択のために、「ＣＳＧ  ＰＣＩ分割情報」または「ＣＳＧ  ＰＳＣ分割情報」が記憶されない周波数上の実装特有の手段に従ってＣＳＧセルであることが分かっているセルを無視してもよい。
【０２５８】
ネットワークは、専用ＵＴＲＡＮ  ＣＳＧ周波数および／または専用Ｅ−ＵＴＲＡＮ  ＣＳＧ周波数に関する情報を提供してもよい。この場合、ＭＳは、これらの専用周波数上のみ、およびシステム情報に記載された他の周波数上で自律検索機能を使用してもよい。ＭＳがＣＳＧホワイトリストを持たない、または空のＣＳＧホワイトリストを有するときに、ＭＳは、測定およびセル再選択のために、これらの周波数を無視してもよい。
【０２５９】
移動局は、ＣＳＧセルから受信されるＲＳＲＰ／ＲＳＣＰ／ＲＳＲＱ［すなわち、信号品質および／または信号強度］関連好適性要件を記憶するべきであり、これらは、非ＣＳＧセルに対して記憶される基準とは独立して維持されるべきである。ＣＳＧセルを評価するときに、移動局は、｛同じ周波数上の／ＣＳＧ  ＩＤを伴う｝［ＣＳＧ］セルからのごく最近記憶された値を使用するであろう。またはＣＳＧセルを評価するときに、移動局は、同じセル（または同じ周波数およびＰＣＩ／ＰＳＣを伴うセル）からの記憶された値を使用するであろう｛これらが［２］分未満前に受信されたならば｝。
【０２６０】
第２に、ハイブリッドセルへのセル再選択については、移動局が少なくとも１つの閉鎖加入者グループのメンバーである場合には、通常のセル再選択に加えて、ＭＳは、ハイブリッドセルを検出するために、自律検索機能を使用するであろう。自律検索機能は、少なくとも、性能要件に従って、ＣＳＧ  ＩＤがＭＳのＣＳＧホワイトリストに含まれる、以前に訪問したハイブリッドセルを検出するであろう。
【０２６１】
注記：ハイブリッドセルの自律検索は、ＭＳが、確認する全てのセルのＣＳＧ  ＩＤを常にチェックする必要があることを暗示せず、バッテリ消費への影響が最小化されるべきである。
【０２６２】
隣接セルがハイブリッドセルとして検出され、ハイブリッドセルのＣＳＧ  ＩＤがＭＳのＣＳＧホワイトリストに含まれる場合、そのセルへの再選択は、第６．６．７．１項でのＣＳＧセルに対する規則に従うべきである。そうでなければ、通常のセル再選択規則が適用されるべきである。
【０２６３】
第３に、手動ＣＳＧ  ＩＤ選択については、ＮＡＳが利用可能なＣＳＧ  ＩＤを検索するようにＡＳに要求する場合、ＭＳは、検索を行い、ＵＴＲＡＮについては３ＧＰＰ  ＴＳ  ２５．３０４で説明されるように、およびＥ−ＵＴＲＡＮについては３ＧＰＰ  ＴＳ  ３６．３０４で説明されるように、結果をＮＡＳに報告するであろう。ＣＳＧ  ＩＤがＮＡＳによって手動で選択される場合、ＭＳは、選択されたＣＳＧセルのＲＡＴタイプに応じて、３ＧＰＰ  ＴＳ  ２５．３０４で、または３ＧＰＰ  ＴＳ  ３６．３０４で特定されるように挙動するであろう。
【０２６４】
ここで、本開示のさらなる実施例を説明する。
【０２６５】
場合によっては、一般的に知られている再選択アルゴリズムの一部として、デバイスは、サービングセル（この例示的なシナリオではセルＢ）によってブロードキャストされる閾値等のパラメータに基づいて、標的セルの１つ以上の側面（信号品質または信号強度等）を評価するように要求される。
【０２６６】
しかしながら、現在は、（好適性基準が候補セルによってブロードキャストされるパラメータに基づく試験を含むため）好適性チェックの一部として、いったん候補セル（セルＣ）からシステム情報を読み出すと、これらの側面を再評価するように要求されている。これは、デバイスに同じ側面を２回評価させる。うまく構成されたネットワークでは、パラメータは、（サービングセル内でブロードキャストされるパラメータに基づく）再選択基準を満たすセルが、候補セル内でブロードキャストされるパラメータに基づく対応する試験に不合格となるべきではないようなものとなるべきである。このシナリオでは、第２の試験は冗長である。
【０２６７】
しかしながら、さらに、デバイスが両方の評価を行い、第２の試験に不合格となる（すなわち、候補セルＣ内でブロードキャストされるパラメータに基いて）場合、サービングセルに戻る。次いで、セルＣがセルＢによってブロードキャストされるパラメータに基づく基準を満たさなくなるまで、このプロセスを延々と繰り返してもよい。これは、おそらくネットワークの不正確な構成である。このシナリオでは、第２の試験は、移動局に同じセルへの再選択を繰り返し試行させる場合がある。
【０２６８】
セルＡまたはＣからのパラメータの記憶および再利用は、この後者の問題に対処してもよいが、候補セルからの基準の記憶のための優先順位ベースの再選択スキームでは、現在どのような準備もされていない（４５．００８の６．６．６参照）。
【０２６９】
さらに、他の場所で記述されるように、ここでの起こり得る問題は、（セルＣによって伝送されるパラメータに基づいて決定されるような）セルＣの好適性基準が、基準が高すぎるように誤って設定されることであるため、このシナリオでセルＣによってブロードキャストされる好適性基準の記憶は、他のセル（すなわち、セルＣ以外）への再選択試行の誤った放棄を引き起こす場合がある。
【０２７０】
本開示のさらなる例示的実装では、サービングセル内でブロードキャストされるパラメータに基づく再選択のための基準が、すでに試験されて満たされている場合、デバイスがセルＣによってブロードキャストされる基準に基づく（例えば、好適性の試験の一部として）いくつかまたは任意の試験を実行しないことが好ましい。再選択基準が満たされ、好適性基準の一部が満たされた場合、デバイスは、候補セル内でブロードキャストされる、省略された好適性チェックと関連付けられるパラメータの値にかかわらず、候補セル内にキャンプしたままとなってもよい。このプロセスは、図１６で図示されている。
【０２７１】
さらなる例示的実装として、再選択プロシージャの一部として試験された特定の側面（信号強度、信号品質）を評価する、好適性試験のみを省略するであろう。場合によっては、信号強度／品質のうちの１つだけが、再選択アルゴリズムの一部として試験される場合がある。
【０２７２】
その上さらなる例示的実施形態として、再選択プロシージャの一部として試験された、および（デフォルト標準値の使用とは対照的に）サービングセルによってブロードキャストまたは伝送されたパラメータに基づいた、特定の側面（信号強度、信号品質）を評価する、試験のみを省略するであろう。
【０２７３】
さらなる例示的実装として、上記の例外は、例えば、測定値が（候補セル、サービングセル、および／または１つ以上の他のセルの）何らかの他の測定値を何らかの最小差だけ超えなければならない、「相対値」試験ではなく、「閾値ベースの」試験（すなわち、候補セルの測定数量が何らかの決定された絶対値を満たさなければならない、または超えなければならない）のみに適用されてもよい。
【０２７４】
後者の例示的実装の例示的シナリオでは、ＣＳＧセルについては、候補ＣＳＧセルは、その周波数上で最強である場合に再選択基準を満たしてもよい。これは、絶対試験よりもむしろ、信号強度の「相対」試験と見なされる。
【０２７５】
一般的な従来のネットワークでは、デバイスは現在、記憶された値（同じまたは異なるセルから得られる）を使用して１回、およびいったん関連システム情報を復号すると候補セルから受信された値を使用して１回、好適性基準を２回チェックするように要求されてもよい。
【０２７６】
現在、デバイスによって記憶され、好適性の初期評価に（すなわち、候補セルのシステム情報が受信される前に）使用される好適性パラメータが、候補セル自体によってブロードキャストされるものとは異なる場合があるという比較的高いリスクがある。したがって、好適性基準が第２の試験ではなく第１の試験に関して満たされ得ることが合理的に可能である。
【０２７７】
図１６に図示される、本開示のさらなる例示的実装では、セルＣを評価するときのセルＡからの記憶されたパラメータの使用への制限が整っている（それらが同じ周波数上になければならない、または両方が非ＣＳＧセルでなければならない等）場合に、パラメータが異なるというリスクは、有意に低下する。したがって、本開示のこの例示的実装に従って、パラメータの評価の必要性をさらに低減するため、および／またはデバイスが（記憶されたパラメータに基づいて）再選択を行うことを決定するリスクを低減するために、候補セルのシステム情報を取得し、次いで、再選択が可能ではないことを決定する。デバイスは、第２の好適性チェックを省略してもよい。これは、本開示の先述の例示的実装での省略と同様である。
【０２７８】
これは、セルＡおよびセルＣの周波数が同じであることを条件としてもよく、セルＡおよびセルＣの物理層アドレスが同じでなければならない等のさらなる基準が適用されてもよく、一般に、上記で記載されるもの等の任意の好適な基準を使用することができる。
【０２７９】
さらなる条件は、例えば、以下の：
ｉ）デバイスがセルＢ内にキャンプしている
ｉｉ）デバイスがセルＡへの再選択を試行し、セルＡに対する好適性基準を読み出し、これらが満たされないことを決定し、セルＢ内に残る
ｉｉｉ）デバイスがセルＣへの再選択を試行し、セルＣおよびセルＡが同じ周波数上で動作し、セルＣがセルＡから得られるような好適性基準を満たし、デバイスがセルＣから得られたパラメータに基づく好適性基準を再評価しない（言い換えれば、デバイスがセルＣによって信号伝達される好適性パラメータとは無関係にセルＣ上にキャンプする）
場合において、デバイスが最初にセルＢ内にキャンプしている間に、セルＡおよびセルＣが両方とも再選択候補であったことであってもよい。
【０２８０】
オペレータが、これらのパラメータが全てのセルにわたって同様である程度まで、サービングＰＬＭＮおよび同等のＰＬＭＮにわたってセルの好適性パラメータの構成を協調させる場合には、この解決法は、セルＡおよびセルＣへの制約がなくても適用可能であってもよい。
【０２８１】
図１６では、図示したプロセスは、ＭＳがサービングセルであるセルＢ上にキャンプしている状態で始まる（ステップ１６０２）。次いで、ＭＳは、随意で、サービングセルから隣接セルリストを受信してもよい（ステップ１６０４）。次いで、ＭＳは、リストから再選択パラメータを復号する（ステップ１６０６）。次いで、ＭＳは、候補セルを識別し、それに測定を行う（ステップ１６０８）。セルが再選択基準を満たさない場合、ＭＳはサービングセル上にキャンプしたままとなる（ステップ１６１０）。基準が満たされた場合、ＭＳは、利用可能な記憶された好適性パラメータを有するか否かをチェックする（ステップ１６１２）。ＭＳが利用可能な記憶された好適性パラメータを有する場合、ＭＳは、これらの基準に対してセルをチェックする（ステップ１６１４）。基準が満たされない場合、Ｓはサービングセル上にキャンプしたままとなる。基準が満たされた、またはＭＳが試験に利用可能な記憶された好適性パラメータを持たない場合、ＭＳは、候補セルのシステム情報を取得することに進む（ステップ１６１６）。
【０２８２】
システム情報を取得した後、ＭＳは、信号強度または品質等の無線関連側面を考慮する（ステップ１６１８）。セルが再選択基準を満たしたか否かを決定するときにこれらが評価され（ステップ１６２０）、評価が明示的に信号伝達されなかったデフォルトパラメータに基づかなかった（ステップ１６２２）場合には、ＭＳは、続けて別の無線関連側面をチェックする（ステップ１６２６）。それ以上側面がない場合には、セルは、基準を満たすと決定され（ステップ１６３２）、非無線関連基準が評価される（ステップ１６３４）。このようにして、信号伝達された基準が使用され、無線関連側面に対してチェックされた場合には、ＭＳは好適性を再決定しない。
【０２８３】
セルが再選択基準を満たしたか否かを決定するときに無線関連側面が評価されなかった（ステップ１６２０）場合、および評価が記憶された好適性パラメータを使用した（ステップ１６２４）場合には、ＭＳは、続けて別の無線関連側面をチェックする（ステップ１６２６）。それ以上側面がない場合には、セルは、基準を満たすと決定され（ステップ１６３２）、非無線関連基準が評価される（ステップ１６３４）。このようにして、信号伝達された基準が使用され、無線関連側面に対してチェックされた場合には、ＭＳは好適性を再決定しない。
【０２８４】
セルが再選択基準を満たしたか否かを決定するときに無線関連側面が評価され（ステップ１６２０）、評価が明示的に信号伝達されなかったデフォルトパラメータに基づいた（ステップ１６２２）場合には、ＭＳは、評価が記憶された好適性パラメータを使用したか否かをチェックする（ステップ１６２４）。もしそうであれば、ＭＳは、続けて別の無線関連側面をチェックする（ステップ１６２６）。それ以上側面がない場合には、セルは、基準を満たすと決定され（ステップ１６３２）、非無線関連基準が評価される（ステップ１６３４）。このようにして、信号伝達された基準が使用され、無線関連側面に対してチェックされた場合には、ＭＳは好適性を再決定しない。
【０２８５】
ＭＳが記憶された好適性パラメータを使用しなかった（ステップ１６２４）場合、ＭＳは、通信チャネルを確立してパラメータを復号することによって、候補セルのシステム情報からのパラメータを使用して、セルを評価する（ステップ１６２８）。セルが基準を満たさない場合、容認不可能であると決定され、ＭＳはサービングセル上にキャンプしたままとなる（ステップ１６３６）。基準を満たす場合、ＭＳは、続けて別の無線関連側面をチェックする（ステップ１６２６）。それ以上側面がない場合には、セルは、基準を満たすと決定され（ステップ１６３２）、非無線関連基準が評価される（ステップ１６３４）。このようにして、信号伝達された基準が使用され、無線関連側面に対してチェックされた場合には、ＭＳは好適性を再決定しない。
【０２８６】
ここで、本開示の実施例を実装するための例示的なアルゴリズムを説明する。これは、優先順位情報に基づくＲＡＴ間セル再選択のためのアルゴリズムである。
【０２８７】
この項でのアルゴリズムは、ＭＳに利用可能な優先順位および閾値がネットワークによって提供される場合、および移動局が優先順位ベースのＲＡＴ間セル再選択をサポートし、サービングセルに対する優先順位情報がネットワークによって提供される場合に、ＲＡＴ間セル再選択に使用されるべきである。Ｅ−ＵＴＲＡＮをサポートする移動局は、全てのサポートされたＲＡＴに向かう優先順位ベースのＲＡＴ間セル再選択をサポートするであろう。Ｅ−ＵＴＲＡＮをサポートせず、ＵＴＲＡＮをサポートし、ＵＴＲＡＮからＧＥＲＡＮへの優先順位ベースの再選択をサポートする移動局は、ＵＴＲＡＮに向かう優先順位ベースのＲＡＴ間セル再選択をサポートするであろう。
【０２８８】
ネットワークは、Ｅ−ＵＴＲＡＮ周波数が隣接セルリストに含まれる場合に、優先順位情報を提供するべきであり、ネットワークは、ＵＴＲＡＮ周波数のみが隣接セルリストに含まれる場合に、優先順位情報を提供するであろう。優先順位情報が移動局に利用可能であり、移動局が優先順位ベースのＲＡＴ間セル再選択をサポートする場合、この項でのアルゴリズムは、全てのＲＡＴに向かうＲＡＴ間セル再選択に使用されるべきである。どの一式の優先順位が所与のときに有効であるかに関する規則は、３ＧＰＰ  ＴＳ  ４４．０１８で定義されている。
【０２８９】
注記１：「優先順位情報」は、各ＵＴＲＡＮまたはＥ−ＵＴＲＡＮ周波数に関係する優先順位および閾値（例えば、ＵＴＲＡＮ＿ＰＲＩＯＲＩＴＹ、Ｅ−ＵＴＲＡＮ＿ＰＲＩＯＲＩＴＹ、ＴＨＲＥＳＨ＿ＵＴＲＡＮ＿ｈｉｇｈ、ＴＨＲＥＳＨ＿Ｅ−ＵＴＲＡＮ＿ｈｉｇｈ）ならびにサービングセルに関係する情報（例えば、ＧＥＲＡＮ＿ＰＲＩＯＲＩＴＹ、ＴＨＲＥＳＨ＿ＧＳＭ（登録商標）＿ｌｏｗ）を含む。
【０２９０】
注記２：仕様の全体を通して、「隣接セルリスト」という語句はまた、適切な場合にＥ−ＵＴＲＡＮ隣接セルリストも含む。
【０２９１】
注記３：優先順位は、優先順位ベースのセル再選択をサポートしないネットワークの周波数に対しても提供される必要がある。
【０２９２】
３Ｇセル再選択リストまたはＥ−ＵＴＲＡＮ隣接セルリストが、他の無線アクセス技術の周波数を含む場合、ＭＳは、少なくとも５秒ごとに、サービングセルの値ＲＬＡ＿Ｃ、および少なくとも６つの最強非サービングＧＳＭ（登録商標）セルのそれぞれを更新するであろう。
【０２９３】
次いで、ＭＳは、以下の基準が満たされる場合に、別の無線アクセス技術の好適なセルを再選択するであろう。Ｓ＿ｎｏｎ−ｓｅｒｖｉｎｇ＿ＸＸＸは、非サービングＲＡＴ間セルの測定数量であり、ＸＸＸは、他の無線アクセス技術／モードを示し、以下のように定義される：
−ＵＴＲＡＮセルについては、セルの周波数のＵＴＲＡＮ＿ＱＲＸＬＥＶＭＩＮを引いたセルの測定されたＲＳＣＰ値である
−Ｅ−ＵＴＲＡＮセルについては、ＴＨＲＥＳＨ＿Ｅ−ＵＴＲＡＮ＿ｈｉｇｈ＿Ｑが提供されない場合、セルの周波数のＥ−ＵＴＲＡＮ＿ＱＲＸＬＥＶＭＩＮを引いたセルの測定されたＲＳＲＰ値であり、そうでなければ、ＴＨＲＥＳＨ＿Ｅ−ＵＴＲＡＮ＿ｈｉｇｈ＿Ｑが提供された場合、セルの周波数のＥ−ＵＴＲＡＮ＿ＱＱＵＡＬＭＩＮを引いたセルの測定されたＲＳＲＱ値である。
【０２９４】
ＧＳＭ（登録商標）セルについては、Ｓ＿ＧＳＭ（登録商標）は、セルのＣ１値として定義される（第６．４項参照）。
【０２９５】
好適なセルの定義は、ＵＴＲＡＮについては３ＧＰＰ  ＴＳ  ２５．３０４において、Ｅ−ＵＴＲＡＮについては３ＧＰＰ  ＴＳ  ３６．３０４において特定されている。しかしながら、セル再選択の目的に対して、
−以下のいずれか一方：
−信号強度（それぞれ信号品質）が再選択アルゴリズムの一部として評価された
−再選択アルゴリズムで使用された対応するパラメータ（例えば、ＵＭＴＳ  ＦＤＤ信号品質について、ＦＤＤ＿Ｑｍｉｎ、ＦＤＤ＿Ｑｍｉｎ＿Ｏｆｆｓｅｔ、ＵＭＴＳ信号強度について、ＵＴＲＡＮ＿ＱＲＸＬＥＶＭＩＮ）がサービングセル内で明示的に信号伝達された（すなわち、デフォルト値が使用されなかった）
−または、
−セルが、同じ無線アクセス技術を使用して動作し、同じ周波数上にあるセルから受信された、記憶されたパラメータに基づく信号強度（それぞれ信号品質）に対する好適性基準を満たす
場合に、信号強度（それぞれ信号品質）に関係する好適性要件は評価される必要がない（すなわち、セルは、候補セルのシステム情報から得られたパラメータを使用して、好適性の定義で特定されるような信号強度（それぞれ信号品質）の要件を満たさなくても、好適と見なされてもよい）。
【０２９６】
上記の対応するパラメータのリストは排他的ではないことを留意および理解されたい。本開示は、パラメータの全てまたはある特定部分が、明示的に信号伝達されたデフォルトではない値でなければならない場合に適用される。
【０２９７】
別のＲＡＴ間周波数のセルへのセル再選択は、（示される順序で評価される）以下の条件のうちのいずれかが満たされる場合に行われるべきである：
−より高い優先順位のＲＡＴ間周波数の１つ以上のセルのＳ＿ｎｏｎ−ｓｅｒｖｉｎｇ＿ＸＸＸが、時間間隔Ｔ＿ｒｅ−ｓｅｌｅｃｔｉｏｎの間にＴＨＲＥＳＨ＿ＸＸＸ＿ｈｉｇｈ（またはＥ−ＵＴＲＡＮ標的の場合、提供されるならばＴＨＲＥＳＨ＿Ｅ−ＵＴＲＡＮ＿ｈｉｇｈ＿Ｑ）よりも大きい。その場合、移動局は、優先順位の高いものから順に再選択するためにセルを考慮し、およびＳ＿ｎｏｎ−ｓｅｒｖｉｎｇ＿ＸＸＸの高いものから順に、同じＲＡＴ間周波数または同等優先順位のＲＡＴ間周波数のセルを考慮し、上記の条件を満たす第１のセルを再選択するであろう
−Ｓ＿ＧＳＭ（登録商標）の値が、時間間隔Ｔ＿ｒｅ−ｓｅｌｅｃｔｉｏｎの間にサービングセルおよび全ての測定されたＧＳＭ（登録商標）セルに対するＴＨＲＥＳＨ＿ＧＳＭ（登録商標）＿ｌｏｗよりも低い。この場合、移動局は、以下の順序
−Ｓ＿ｎｏｎ−ｓｅｒｖｉｎｇ＿ＸＸＸが、時間間隔Ｔ＿ｒｅ−ｓｅｌｅｃｔｉｏｎの間にＴＨＲＥＳＨ＿ＸＸＸ＿ｌｏｗ（またはＥ−ＵＴＲＡＮ標的の場合、提供されるならばＴＨＲＥＳＨ＿Ｅ  ＵＴＲＡＮ＿ｌｏｗ＿Ｑ）よりも大きい、より低い優先順位のＲＡＴ間周波数のセル。これらのセルは、優先順位の高いものから順に考慮され、同じＲＡＴのセルについては、Ｓ＿ｎｏｎ−ｓｅｒｖｉｎｇ＿ＸＸＸの高いものから順に考慮されるべきである
−いずれのセルも上記の基準を満たさない場合、時間間隔Ｔ＿ｒｅ−ｓｅｌｅｃｔｉｏｎの間に、Ｓ＿ｎｏｎ−ｓｅｒｖｉｎｇ＿ＸＸＸが少なくとも特定のヒステリシスＨ＿ＰＲＩＯだけサービングセルのＳ＿ＧＳＭ（登録商標）よりも高い、ＲＡＴ間セル。これらのセルは、Ｓ＿ｎｏｎ−ｓｅｒｖｉｎｇ＿ＸＸＸの高いものから順に考慮されるべきである
においてＲＡＴ間セルを再選択のために考慮し、以下の基準を満たす第１のセルを再選択するであろう。
【０２９８】
ＵＴＲＡＮ  ＦＤＤセルは、上記の基準に加えて、その測定されたＥｃ／Ｎｏ値がＦＤＤ＿Ｑｍｉｎ−ＦＤＤ＿Ｑｍｉｎ＿Ｏｆｆｓｅｔ以上である場合にのみ再選択されるべきである。
【０２９９】
Ｅ−ＵＴＲＡＮ＿ＱｍｉｎがＥ−ＵＴＲＡＮ周波数に対して提供される場合、その周波数上のＥ−ＵＴＲＡＮセルは、上記の基準に加えて、その測定されたＲＳＲＱ値がＥ−ＵＴＲＡＮ＿Ｑｍｉｎ以上である場合にのみ再選択されるべきである。
【０３００】
ＴＨＲＥＳＨ＿Ｅ−ＵＴＲＡＮ＿ｈｉｇｈ＿ＱがＥ−ＵＴＲＡＮ周波数に対して提供される場合、およびＥ−ＵＴＲＡＮ＿ＲＳＲＰｍｉｎが提供される場合、その周波数上のＥ−ＵＴＲＡＮセルは、上記の基準に加えて、その測定されたＲＳＲＰ値がＥ−ＵＴＲＡＮ＿ＲＳＲＰｍｉｎ以上である場合にのみ再選択されるべきである。Ｅ−ＵＴＲＡＮ＿ＲＳＲＰｍｉｎが提供されない場合、デフォルト値が使用されるべきである。
【０３０１】
禁止セルのリストに含まれるＥ−ＵＴＲＡＮセルは、セル再選択のための候補として見なされるべきではない。Ｅ−ＵＴＲＡＮ周波数上の最強セルが、禁止セルのリストに含まれる場合、移動局は、その周波数上の最強有効セル（第８．４．７項参照）を再選択するであろう。
【０３０２】
別の無線アクセス技術（例えば、ＵＴＲＡＮまたはＥ−ＵＴＲＡＮ）のセルへのセル再選択は、好適なＧＳＭ（登録商標）セルを見出すことができる場合、ＭＳがＲＡＴ間セルからＧＳＭ（登録商標）セルを再選択した後の５秒以内に起こるべきではない。
【０３０３】
移動局が、専用信号を介して受信された共通優先順位または個別優先順位のいずれか一方を適用し、優先順位が、あるＲＡＴ間周波数のみに利用可能である場合、優先順位が利用可能ではないか、または閾値がサービングセルによって提供されない周波数に属するセルは、測定のため、およびセル再選択のために考慮されるべきではない。
【０３０４】
正常にキャンプしている状態（３ＧＰＰ  ＴＳ  ４３．０２２参照）にある移動局が、専用信号を介して受信された個別優先順位を適用し、優先順位がサービングセルに利用可能ではない場合、移動局は、任意のＧＳＭ（登録商標）セル（サービングセルを含む）が最低優先順位（すなわち、８つのネットワーク構成値よりも低い）を有すると見なすべきである。
【０３０５】
任意のセル上にキャンプしている状態（３ＧＰＰ  ＴＳ  ４３．０２２参照）にある移動局は、専用信号を介して受信された個別優先順位を無視するべきであり、好適なセルを見出そうとしながら、サービングセルのシステム情報から受信される優先順位を適用するであろう。移動局がＣＳ音声サービスをサポートする場合、ＭＳは、システム情報の中で提供される優先順位にかかわらず、（好適ではないが）容認可能なＥ−ＵＴＲＡセルを再選択することを回避するであろう。
【０３０６】
注記４：ＭＳが容認可能なセル上にキャンプしている場合、それらの削除につながる事象が起こるまで、個別優先順位は破棄されない。
【０３０７】
禁じられたＵＴＲＡＮセルに向かう再選択試行の場合、ＭＳは、禁じられたＵＴＲＡＮセル上のＴｂａｒｒｅｄ値によって定義されるように、このＵＴＲＡＮセルに向かうさらなる再選択試行を放棄するであろう（３ＧＰＰ  ＴＳ  ２５．３３１参照）。
【０３０８】
禁じられたＥ−ＵＴＲＡＮセルに向かう再選択試行の場合、ＭＳは、最大２０分にわたって、このＥ−ＵＴＲＡＮセルに向かうさらなる再選択試行を放棄するであろう。
【０３０９】
ＭＳが、「ローミング用の禁止ＬＡのリスト」の一部であるか、または登録されたＰＬＭＮと同等であるものとして示されていないＰＬＭＮに属することにより好適ではない（３ＧＰＰ  ＴＳ  ２５．３０４参照）、ＵＴＲＡＮセルへの再選択を試行する場合、ＭＳは、最大２０分の期間にわたって、このＵＴＲＡＮセルおよび同じ周波数上の全ての他のセルに向かうさらなる再選択試行を放棄してもよい。ＭＳがセル選択を行わなければならない場合、この制限は除去されるべきである。ＭＳが、ＧＥＲＡＮの制御下で、タイマーが作動している周波数にリダイレクトされた場合、その周波数への任意の制限が除去されるべきである。
【０３１０】
ＭＳが、「ローミング用の禁止追跡領域のリスト」の一部である（３ＧＰＰ  ＴＳ  ２４．３０１参照）ことにより好適ではない（３ＧＰＰ  ＴＳ  ２５．３０４参照）、Ｅ−ＵＴＲＡＮセルへの再選択を試行する場合、およびＭＳがセルの周波数に対するＰＣＩＤからＴＡへのマッピング情報要素（３ＧＰＰ  ＴＳ  ４４．０１８および３ＧＰＰ  ＴＳ  ４４．０６０参照）を受信した場合、ＰＣＩＤからＴＡへのマッピング情報がサービングセルの中で変化するまで、またはセル再選択が起こるまで、このＥ−ＵＴＲＡＮセルおよび同じ追跡領域に属することが分かっている任意のＥ−ＵＴＲＡＮセルに向かうさらなる再選択試行を放棄するであろう。移動局が、セルの周波数に対するＰＣＩＤからＴＡへのマッピング情報要素を受信していない場合、ＭＳは、最大２０分の期間にわたって、このＥ−ＵＴＲＡＮセルおよび同じ周波数上の全ての他のセルに向かうさらなる再選択試行を放棄してもよい。ＭＳがセル選択を行わなければならない場合、この制限は除去されるべきである。ＭＳが、ＧＥＲＡＮの制御下で、タイマーが作動している周波数にリダイレクトされた場合、その周波数への任意の制限が除去されるべきである。
【０３１１】
ＭＳが、登録されたＰＬＭＮと同等であるものとして示されていないＰＬＭＮに属することにより好適ではない（３ＧＰＰ  ＴＳ  ２５．３０４参照）Ｅ−ＵＴＲＡＮセルへの再選択を試行する場合、ＭＳは、最大２０分の期間にわたって、このＥ−ＵＴＲＡＮセルおよび同じ周波数上の全ての他のセルに向かうさらなる再選択試行を放棄してもよい。ＭＳがセル選択を行わなければならない場合、この制限は除去されるべきである。ＭＳが、ＧＥＲＡＮの制御下で、タイマーが作動している周波数にリダイレクトされた場合、その周波数への任意の制限が除去されるべきである。
【０３１２】
本開示は、主に方法に関して説明されたが、当業者であれば、本開示はまた、ハードウェア構成要素、ソフトウェア、または２つの任意の組み合わせを介したものであろうと、あるいは任意の他の方式によるものであろうと、説明された方法の側面および特徴のうちの少なくともいくつかを行うための構成要素を含む手持ち式電子デバイス等の種々の装置も対象とすることを理解するであろう。また、その上に記憶されたプログラム命令、またはコンピュータ可読プログラム命令を運ぶコンピュータデータ信号を含む、事前記録記憶デバイスまたは他の同様のコンピュータ可読媒体等の装置とともに使用するための製造品は、説明された方法の実践を促進する装置を対象としてもよい。そのような装置、製造品、およびコンピュータデータ信号もまた、本開示の範囲内に入ることを理解されたい。
【０３１３】
本明細書で使用されるような「コンピュータ可読媒体」は、携帯用コンピュータディスケット、ハードディスクドライブ（ＨＤＤ）、ランダムアクセスメモリ（ＲＡＭ）、読取専用メモリ（ＲＯＭ）、消却・プログラム可能型読取専用メモリ（ＥＰＲＯＭ）またはフラッシュメモリ、コンパクトディスク（ＣＤ）、デジタル多用途ディスク（ＤＶＤ）、またはＢｌｕ−ｒａｙ（登録商標）ＴＭディスク等の光ディスク、および固体記憶デバイス（例えば、ＮＡＮＤフラッシュまたは同期型ダイナミックＲＡＭ（ＳＤＲＡＭ））を含むが、それらに限定されないコンピュータまたはコンピュータデバイスによって使用または実行するための命令を記憶することができる任意の媒体を意味する。
【０３１４】
本開示の例示的実施形態は、任意の特定のオペレーティングシステム、システムアーキテクチャ、モバイルデバイスアーキテクチャ、サーバアーキテクチャ、またはコンピュータプログラミング言語に限定されない。
【０３１５】
上記で提示される種々の実施形態は、実施例にすぎず、本明細書で説明される革新の変化例が、当業者に明白となるであろう。実施形態は、それらの特性から逸脱することなく、いくつかの形態で実装されてもよいため、上記の実施形態は、特に指定がない限り、先述の説明の詳細のうちのいずれによっても限定されないが、むしろ、添付の請求項で定義されるようなその範囲内で広く解釈されるべきであることも理解されたい。したがって、請求項の範囲またはそのような範囲の同等物内に入る種々の変更および修正は、添付の請求項によって包含されることを目的としている。
【０３１６】
説明されるような方法は、特定の順序で動作を実行させることに留意されたい。しかしながら、状況が許可する場合、行われる任意の動作の順序を変化させることができ、したがって、本明細書で説明されるような順序は、限定的となることを目的としていない。
【０３１７】
また、方法が説明されている場合、方法を実行するように配設されたデバイスに対しても保護が求められることも意図され、特徴が相互から独立して請求されている場合、これらは他の請求された特徴とともに使用されてもよいことにも留意されたい。
【０３１８】
さらに、本明細書で説明される装置は、ワイヤレス電気通信デバイス、またはＵＴＲＡＮあるいは他のユーザ機器、またはアクセスネットワーク構成要素等の単一の構成要素、例えば、相互と通信している複数のそのような構成要素の組み合わせ、またはそのような構成要素のサブネットワークあるいはフルネットワークを備えてもよいことに留意されたい。
【０３１９】
実施形態は、３ＧＰＰ仕様に関して本明細書で説明されている。しかしながら、説明される方法および装置は、本明細書で参照される仕様またはそれらのバージョンに限定されることを目的としないが、将来のバージョンまたは他の使用に適用可能であってもよい。
【０３２０】
本開示の側面によれば、ワイヤレスネットワーク内のデバイスによって行われる方法が提供されてもよく、方法は、第１のセルの特性と関連付けられる第１のセルのパラメータを記憶するステップと、デバイスによる再選択のために第２のセルの好適性を決定するステップと、第２のセルが第１のセルの該特性と共通している特性を有する場合に、該記憶されたパラメータに従って第２のセルの再選択好適性を決定するステップとを含む。
【０３２１】
方法はまた、第１のセルの該特性と関連付けられる任意の以前に記憶されたパラメータを、デバイスから削除するステップを含んでもよい。
【０３２２】
第１のセルの特性は、第１のセルの搬送波周波数であってもよい。
【０３２３】
本開示の別の側面によれば、ワイヤレスネットワーク内のデバイスによって行われる方法が提供されてもよく、方法は、該第１のセルのネットワーク識別情報を決定するステップと、第２のセルの好適性基準のパラメータを決定するステップと、該第２のセルのネットワーク識別情報を決定するステップと、該第１のセルの該ネットワーク識別情報が、該第２のセルの該ネットワーク識別情報と平等または同等である場合、該パラメータを記憶するステップとを含む。
【０３２４】
方法はまた、さらに、該パラメータを記憶する行為の後に、該記憶されたパラメータを第２のセルの特性と関連付けるステップと、デバイスによる再選択のために第３のセルの好適性を決定するステップと、第３のセルが、該記憶されたパラメータと関連付けられる第２のセルの該特性と共通している第３のセルの特性を有する場合に、該記憶されたパラメータに従って第３のセルの再選択好適性を決定するステップとを含んでもよい。
【０３２５】
方法はまた、さらに、第２のセルの該特性と関連付けられる任意の以前に記憶されたパラメータを、デバイスから削除するステップを含んでもよい。
【０３２６】
本開示の別の側面によれば、ワイヤレスネットワーク内のデバイスによって行われる方法が提供されてもよく、方法は、第２のセルの好適性基準のパラメータを決定するステップと、該第２のセルが閉鎖加入者グループに属するか否かを決定するステップと、該第２のセルが閉鎖加入者グループに属することができなかった場合、該パラメータを記憶するステップとを含む。
【０３２７】
方法はまた、さらに、該パラメータを記憶する行為の後に、該記憶されたパラメータを第２のセルの特性と関連付けるステップと、デバイスによる再選択のために第３のセルの好適性を決定するステップと、第３のセルが、該記憶されたパラメータと関連付けられる第２のセルの該特性と共通している特性を有する場合に、該記憶されたパラメータに従って第３のセルの再選択好適性を決定するステップとを含んでもよい。
【０３２８】
方法はまた、さらに、第２のセルの該特性と関連付けられる任意の以前に記憶されたパラメータを、デバイスから削除するステップを含んでもよい。
【０３２９】
本開示の別の側面によれば、ワイヤレスネットワークで使用するためのデバイスが提供されてもよく、デバイスは、１つ以上のプロセッサと、１つ以上のプロセッサに連結されるワイヤレス送受信機と、１つ以上のプロセッサに連結されるメモリとを備え、１つ以上のプロセッサは、第１のセルの特性と関連付けられる第１のセルのパラメータを記憶し、デバイスによる再選択のために第２のセルの好適性を決定し、第２のセルが第１のセルの該特性と共通している特性を有する場合に、該記憶されたパラメータに従って第２のセルの再選択好適性を決定するように動作する。
【０３３０】
デバイスはさらに、第１のセルの該特性と関連付けられる任意の以前に記憶されたパラメータを、デバイスから削除するように動作してもよい。
【０３３１】
第１のセルの特性はまた、第１のセルの搬送波周波数であってもよい。
【０３３２】
本開示の別の側面によれば、ワイヤレスネットワークで使用するためのデバイスが提供され、デバイスは、１つ以上のプロセッサと、１つ以上のプロセッサに連結されるワイヤレス送受信機と、１つ以上のプロセッサに連結されるメモリとを備え、１つ以上のプロセッサは、第１のセルと通信し、該第１のセルのネットワーク識別情報を決定し、第２のセルの好適性基準のパラメータを決定し、該第２のセルのネットワーク識別情報を決定し、該第１のセルの該ネットワーク識別情報が、該第２のセルの該ネットワーク識別情報と平等または同等である場合、該パラメータを記憶するように動作する。
【０３３３】
デバイスはさらに、該パラメータが記憶された後に、該記憶されたパラメータを第２のセルの特性と関連付け、デバイスによる再選択のために第３のセルの好適性を決定するように動作してもよく、第３のセルが、該記憶されたパラメータと関連付けられる第２のセルの該特性と共通している特性を有する場合に、第３のセルの再選択好適性は、該記憶されたパラメータに従って決定される。
【０３３４】
デバイスはさらに、第２のセルの該特性と関連付けられる任意の以前に記憶されたパラメータを、デバイスから削除するように動作してもよい。
【０３３５】
本開示の別の側面によれば、ワイヤレスネットワークで使用するためのデバイスが提供されてもよく、デバイスは、１つ以上のプロセッサと、１つ以上のプロセッサに連結されるワイヤレス送受信機と、１つ以上のプロセッサに連結されるメモリとを備え、１つ以上のプロセッサは、第１のセルと通信し、第２のセルの好適性基準のパラメータを決定し、該第２のセルが閉鎖加入者グループに属するか否かを決定し、該第２のセルが閉鎖加入者グループに属することができなかった場合、該パラメータを記憶するように動作する。
【０３３６】
デバイスはさらに、該パラメータが記憶された後に、記憶されたパラメータを第２のセルの特性と関連付け、デバイスによる再選択のために第３のセルの好適性を決定するように動作してもよく、第３のセルが、記憶されたパラメータと関連付けられる第２のセルの特性と共通している特性を有する場合に、第３のセルの再選択好適性は、記憶されたパラメータに従って決定される。
【０３３７】
デバイスはさらに、第２のセルの該特性と関連付けられる任意の以前に記憶されたパラメータを、デバイスから削除するように動作してもよい。
【０３３８】
本開示の別の側面によれば、ワイヤレスネットワーク内のデバイスによって行われる方法が提供されてもよく、方法は、第２のセルの第１の組の基準からパラメータを決定するステップであって、基準は再選択基準である、ステップと、パラメータが所定の条件を満たす場合、第２のセルのシステム情報を決定するステップと、第２の組の基準を使用して、デバイスによる再選択のために第２のセルの好適性を決定するステップであって、第２の組の基準は、好適性基準である、ステップと、好適性基準が、該１組の再選択基準に含まれるパラメータを含有する場合、好適性基準で使用するために該パラメータを再決定することなく、好適性を決定するステップとを含む。
【０３３９】
方法はまた、さらに、該第２のセルへのセル再選択を行うステップを含んでもよい。
【０３４０】
本開示の別の側面によれば、ワイヤレスネットワークで使用するためのデバイスが提供されてもよく、デバイスは、１つ以上のプロセッサと、１つ以上のプロセッサに連結されるワイヤレス送受信機と、１つ以上のプロセッサに連結されるメモリとを備え、１つ以上のプロセッサは、第２のセルの第１の組の基準であって、再選択基準である該基準から、パラメータを決定し、該パラメータが所定の条件を満たす場合、該第２のセルのシステム情報を決定し、第２の組の基準であって、好適性基準である該第２の組の基準を使用して、デバイスによる再選択のために第２のセルの好適性を決定するように動作し、該好適性基準が、該１組の再選択基準に含まれるパラメータを含有する場合、デバイスは、該好適性基準で使用するために該パラメータを再決定することなく、好適性を決定するように動作する。
【０３４１】
第１の側面による方法はまた、さらに、第２のセルが該記憶されたパラメータに従って好適であると決定された場合、第２のセルのシステム情報を取得するステップを含んでもよい。
【０３４２】
第１の側面による方法はまた、さらに、第２のセルが該記憶されたパラメータに従って好適ではないあると決定された場合、第２のセルのシステム情報を取得することを省略するステップを含んでもよい。
【０３４３】
本開示の別の側面によれば、無線アクセスネットワークの第１のセル内のデバイスによって行われる方法が提供されてもよく、方法は、再選択基準に対して第２のセルの側面を評価するステップと、第２のセルのシステム情報を受信するステップと、システム情報の中で受信されるパラメータを使用して、好適性基準に対して側面を評価することなく、第２のセルの好適性を決定するステップとを含む。
【０３４４】
方法はまた、さらに、該第２のセルへのセル再選択を行うステップを含んでもよい。
【０３４５】
本開示の別の側面によれば、無線アクセスネットワークの第１のセル内のデバイスによって行われる方法が提供されてもよく、方法は、記憶された好適性基準に対して第２のセルの側面を評価するステップと、該第２のセルのシステム情報を受信するステップと、第２のセルのシステム情報を受信するステップと、システム情報の中で受信されるパラメータを使用して、好適性基準に対して該側面を評価することなく、第２のセルの好適性を決定するステップとを含む。
【０３４６】
方法はまた、さらに、該第２のセルへのセル再選択を行うステップを含んでもよい。
【０３４７】
加えて、第２のセルの特性は、孤立して、またはＵＥに記憶されたデータと組み合わせて、物理層の１つ以上の側面を参照することによって決定されてもよい。
【図１Ｂ】
2013544477.tif 000003
【図１Ａ】
2013544477.tif 000004
【図２】
2013544477.tif 000005
【図３−１】
2013544477.tif 000006
【図３−２】
2013544477.tif 000007
【図４−１】
2013544477.tif 000008
【図４−２】
2013544477.tif 000009
【図５】
2013544477.tif 000010
【図６−１】
2013544477.tif 000011
【図６−２】
2013544477.tif 000012
【図７−１】
2013544477.tif 000013
【図７−２】
2013544477.tif 000014
【図８】
2013544477.tif 000015
【図９】
2013544477.tif 000016
【図１０】
2013544477.tif 000017
【図１１】
2013544477.tif 000018
【図１２】
2013544477.tif 000019
【図１３】
2013544477.tif 000020
【図１４】
2013544477.tif 000021
【図１５】
2013544477.tif 000022
【図１６−１】
2013544477.tif 000023
【図１６−２】
2013544477.tif 000024
【国際調査報告】
2013544477.tif 000025
2013544477.tif 000026
2013544477.tif 000027